(57)【特許請求の範囲】
【請求項１】
撮像を制御するための複数の制御パラメータのうち第１の制御パラメータの第１の値を生成する生成部と、
前記第１の値を撮像装置に出力する出力部と、
前記複数の制御パラメータのうち前記第１の制御パラメータと異なる第２の制御パラメータの第２の値であって、前記撮像装置の撮像部に設定された前記第１の値に連動して変化する前記第２の値と、前記第１の値が前記撮像部に設定されているときに前記撮像部によって生成された第１の画像データとを前記撮像装置から入力する入力部と、
前記第１の制御パラメータの第３の値と前記第２の制御パラメータの第４の値とを記憶する記憶部と、
前記第１の値と前記第３の値との第１の差分と、前記第２の値と前記第４の値との第２の差分とを算出する算出部と、
前記第１の差分を示す第１の差分情報と、前記第２の差分を示す第２の差分情報とを図示し、前記第１の画像データに基づく画像を表示する表示部と、
を有する撮像設定装置。
【請求項２】
前記入力部は、前記第１の値が前記撮像部に設定される前に前記撮像部に設定されていた前記第１の制御パラメータの値である前記第３の値と、前記第２の値が前記撮像部に設定される前に前記撮像部に設定されていた前記第２の制御パラメータの値である前記第４の値とを前記撮像装置から入力し、
前記記憶部は、前記入力部によって入力された前記第３の値と前記第４の値とを記憶する請求項１に記載の撮像設定装置。
【請求項３】
前記入力部はさらに、前記第３の値が前記撮像部に設定されているときに前記撮像部によって生成された第２の画像データを前記撮像装置から入力し、
前記表示部はさらに、前記第２の画像データに基づく画像を表示する請求項２に記載の撮像設定装置。
【請求項４】
前記入力部は、動画を構成する複数の前記第２の画像データまたは静止画を構成する１枚の前記第２の画像データを前記撮像装置から入力し、
前記表示部は、前記複数の前記第２の画像データに基づく動画を表示する、または、前記１枚の前記第２の画像データに基づく静止画を表示する請求項３に記載の撮像設定装置。
【請求項５】
前記入力部はさらに、前記第１の制御パラメータの値として推奨される推奨値である前記第３の値を前記撮像装置から入力し、
前記記憶部は、前記入力部によって入力された前記第３の値と、前記第４の値とを記憶する請求項１に記載の撮像設定装置。
【請求項６】
前記記憶部は、前記第３の値と、前記第２の制御パラメータの値として推奨される推奨値である前記第４の値、または前記第２の値が前記撮像部に設定される前に前記撮像部に設定されていた前記第２の制御パラメータの設定値である前記第４の値を記憶する請求項１に記載の撮像設定装置。
【請求項７】
複数のモードのいずれかが前記撮像部に設定され、前記撮像部に設定される前記モードを切り替えることが可能であり、
前記複数のモードは、
前記第１の制御パラメータが絞りであり、前記第２の制御パラメータがシャッタースピードである絞り優先モードと、
前記第１の制御パラメータがシャッタースピードであり、前記第２の制御パラメータが絞りであるシャッタースピード優先モードと、
の少なくとも１つと、
前記第１の制御パラメータが絞りとシャッタースピードとであり、前記第２の制御パラメータが露出であるマニュアルモードと、
を含み、
前記記憶部は、前記撮像部のモードが前記マニュアルモードであるときに、前記推奨値である前記第４の値を記憶する請求項６に記載の撮像設定装置。
【請求項８】
前記表示部は、前記第１の差分情報を第１の領域に図示し、前記第４の値が前記推奨値である場合に、第１の表示形態で表示された、前記第１の領域と異なる第２の領域に前記第２の差分情報を図示し、前記第４の値が前記設定値である場合に、前記第１の表示形態と異なる第２の表示形態で表示された前記第２の領域に前記第２の差分情報を図示し、前記画像を表示する請求項６に記載の撮像設定装置。
【請求項９】
前記表示部は、前記第１の差分情報を図示し、前記第４の値が前記推奨値である場合に第１の表示形態で前記第２の差分情報を図示し、前記第４の値が前記設定値である場合に、前記第１の表示形態と異なる第２の表示形態で前記第２の差分情報を図示し、前記画像を表示する請求項６に記載の撮像設定装置。
【請求項１０】
前記記憶部は、前記第３の値と前記第４の値とが前記撮像部に設定されているときに撮像部によって生成された第２の画像データと前記第３の値と前記第４の値とを関連付けて記憶する請求項１に記載の撮像設定装置。
【請求項１１】
前記表示部はさらに、前記第２の画像データに基づく画像を表示する請求項１０に記載の撮像設定装置。
【請求項１２】
前記入力部は、前記第２の値と、前記第１の値が前記撮像部に設定されているときに前記撮像部によって生成された、動画を構成する複数の前記第１の画像データとを前記撮像装置から入力し、
前記表示部は、前記第１の差分情報と前記第２の差分情報とを図示し、前記複数の前記第１の画像データに基づく動画を表示する請求項１に記載の撮像設定装置。
【請求項１３】
前記表示部は、前記第１の差分情報を第１の領域に図示し、前記第２の差分情報を、前記第１の領域と表示形態が異なる第２の領域に図示し、前記画像を表示する請求項１に記載の撮像設定装置。
【請求項１４】
前記表示部はさらに、前記第１の領域が前記第２の領域よりも相対的に目立つように、前記第１の領域と前記第２の領域とを表示する請求項１３に記載の撮像設定装置。
【請求項１５】
前記表示部は、前記第１の差分情報を第１の表示形態で図示し、前記第２の差分情報を、前記第１の表示形態と異なる第２の表示形態で図示し、前記画像を表示する請求項１に記載の撮像設定装置。
【請求項１６】
前記表示部はさらに、前記第１の差分情報が前記第２の差分情報よりも相対的に目立つように、前記第１の差分情報を前記第１の表示形態で図示し、前記第２の差分情報を前記第２の表示形態で図示する請求項１５に記載の撮像設定装置。
【請求項１７】
前記入力部は、前記複数の制御パラメータのうち、複数の前記第２の制御パラメータのそれぞれの前記第２の値と、前記第１の値が前記撮像部に設定されているときに前記撮像部によって生成された第１の画像データとを前記撮像装置から入力し、
前記記憶部はさらに、前記複数の第２の制御パラメータのそれぞれの前記第４の値を記憶し、
前記表示部は、前記第１の差分情報を図示し、前記第２の差分が相対的に大きい前記第２の差分情報を第１の領域に図示し、前記第２の差分が相対的に小さい前記第２の差分情報を、前記第１の領域と表示形態が異なる第２の領域に図示し、前記画像を表示する請求項１に記載の撮像設定装置。
【請求項１８】
前記表示部はさらに、前記第１の領域を前記第２の領域よりも強調して表示する請求項１７に記載の撮像設定装置。
【請求項１９】
前記入力部は、前記複数の制御パラメータのうち、複数の前記第２の制御パラメータのそれぞれの前記第２の値と、前記第１の値が前記撮像部に設定されているときに前記撮像部によって生成された第１の画像データとを前記撮像装置から入力し、
前記記憶部はさらに、前記複数の第２の制御パラメータのそれぞれの前記第４の値を記憶し、
前記表示部は、前記第１の差分情報を図示し、前記第２の差分が相対的に大きい前記第２の差分情報を第１の表示形態で図示し、前記第２の差分が相対的に小さい前記第２の差分情報を、前記第１の表示形態と異なる第２の表示形態で図示し、前記画像を表示する請求項１に記載の撮像設定装置。
【請求項２０】
前記表示部はさらに、前記第２の差分が相対的に大きい前記第２の差分情報を、前記第２の差分が相対的に小さい前記第２の差分情報よりも強調して図示する請求項１９に記載の撮像設定装置。
【請求項２１】
前記入力部はさらに、前記複数の制御パラメータのうち、前記第１の制御パラメータと異なる第３の制御パラメータの第５の値を前記撮像装置から入力し、
前記記憶部はさらに、前記第３の制御パラメータの第６の値を記憶し、
前記算出部はさらに、前記第５の値と前記第６の値との第３の差分を算出し、
前記表示部は、前記第３の差分が０である場合、前記第１の差分情報と、前記第２の差分情報と、前記第５の値とのうち、前記第１の差分情報と前記第２の差分情報とのみを図示し、前記画像を表示する請求項１に記載の撮像設定装置。
【請求項２２】
前記入力部はさらに、前記複数の制御パラメータのうち、前記第１の制御パラメータと異なる第３の制御パラメータの第５の値を前記撮像装置から入力し、
前記記憶部はさらに、前記第３の制御パラメータの第６の値を記憶し、
前記算出部はさらに、前記第５の値と前記第６の値との第３の差分を算出し、
前記表示部はさらに、前記第５の値と前記第６の値との第３の差分が０である場合、前記第５の値を図示する請求項１に記載の撮像設定装置。
【請求項２３】
複数のモードのいずれかが前記撮像部に設定され、前記撮像部に設定される前記モードを切り替えることが可能であり、
前記第３の制御パラメータは、前記撮像部に設定されているモードに対応する請求項２１または請求項２２に記載の撮像設定装置。
【請求項２４】
前記複数のモードは、
前記第１の制御パラメータが絞りであり、前記第２の制御パラメータがシャッタースピードである絞り優先モードと、
前記第１の制御パラメータがシャッタースピードであり、前記第２の制御パラメータが絞りであるシャッタースピード優先モードと、
の少なくとも１つと、
前記第１の制御パラメータが絞りとシャッタースピードとであり、前記第２の制御パラメータが露出であるマニュアルモードと、
を含む請求項２３に記載の撮像設定装置。
【請求項２５】
複数のモードのいずれかが前記撮像部に設定され、前記撮像部に設定される前記モードを切り替えることが可能であり、
前記生成部は、前記複数の制御パラメータのうち、前記撮像部に設定されているモードに対応する前記第１の制御パラメータの前記第１の値を生成する請求項１に記載の撮像設定装置。
【請求項２６】
前記複数のモードは、
前記第１の制御パラメータが絞りとシャッタースピードとであり、前記第２の制御パラメータが露出であるマニュアルモードと、
前記第１の制御パラメータが絞りであり、前記第２の制御パラメータがシャッタースピードである絞り優先モードと、
前記第１の制御パラメータがシャッタースピードであり、前記第２の制御パラメータが絞りであるシャッタースピード優先モードと、
前記第１の制御パラメータが露出であり、前記第２の制御パラメータが絞りとシャッタースピードとであるプログラムモードと、
のうち少なくとも２つを含む請求項２５に記載の撮像設定装置。
【請求項２７】
前記入力部は、複数の前記第２の制御パラメータのそれぞれの前記第２の値と、前記第１の画像データとを前記撮像装置から入力し、
前記記憶部はさらに、前記複数の前記第２の制御パラメータのそれぞれの前記第４の値を記憶し、
前記表示部は、前記第１の差分情報を図示し、前記複数の前記第２の制御パラメータのうち前記第２の差分が所定量を超えている前記第２の差分情報のみを図示し、前記画像を表示する請求項１に記載の撮像設定装置。
【請求項２８】
前記表示部はさらに、前記第１の差分情報が表示される位置と、前記第２の差分情報が表示される位置との相対的な関係を固定する請求項１に記載の撮像設定装置。
【請求項２９】
前記表示部はさらに、前記複数の制御パラメータの前記第１の差分情報または前記第２の差分情報が表示される位置の相対的な関係を前記複数の制御パラメータ間で固定する請求項１に記載の撮像設定装置。
【請求項３０】
前記入力部は、複数の前記第２の制御パラメータのそれぞれの前記第２の値と、前記第１の画像データとを前記撮像装置から入力し、
前記記憶部はさらに、前記複数の前記第２の制御パラメータのそれぞれの前記第４の値を記憶し、
前記表示部は、前記複数の前記第２の制御パラメータのうち前記第２の差分が相対的に大きい前記第２の制御パラメータの前記第２の差分情報が表示される位置と、前記複数の第２の制御パラメータのうち前記第２の差分が相対的に小さい前記第２の制御パラメータの前記第２の差分情報が表示される位置との相対的な関係を固定し、前記画像を表示する請求項１に記載の撮像設定装置。
【請求項３１】
前記第１の制御パラメータは、露出に関するパラメータである請求項１に記載の撮像設定装置。
【請求項３２】
前記表示部はさらに、前記第１の値を示す数値、または前記第２の値を示す数値を表示する請求項１に記載の撮像設定装置。
【請求項３３】
撮像を行い、画像データを生成する撮像部と、
撮像を制御するための複数の制御パラメータのうち第１の制御パラメータの第１の値を生成する生成部と、
前記第１の値と、前記複数の制御パラメータのうち前記第１の制御パラメータと異なる第２の制御パラメータの第２の値であって、前記撮像部に設定された前記第１の値に連動して変化する前記第２の値とを前記撮像部に設定する設定部と、
前記第１の制御パラメータの第３の値と前記第２の制御パラメータの第４の値とを記憶する記憶部と、
前記第１の値と前記第３の値との第１の差分と、前記第２の値と前記第４の値との第２の差分とを算出する算出部と、
前記第１の差分を示す第１の差分情報と、前記第２の差分を示す第２の差分情報とを図示し、前記第１の値が前記撮像部に設定されているときに前記撮像部によって生成された前記画像データに基づく画像を前記第１の値が前記撮像部に設定されているときに表示する表示部と、
を有する撮像装置。
【請求項３４】
撮像設定装置と撮像装置とを有する撮像システムであって、
前記撮像設定装置は、
撮像を制御するための複数の制御パラメータのうち第１の制御パラメータの第１の値を生成する生成部と、
前記第１の値を前記撮像装置に出力する第１の出力部と、
前記複数の制御パラメータのうち前記第１の制御パラメータと異なる第２の制御パラメータの第２の値であって、前記撮像装置の撮像部に設定された前記第１の値に連動して変化する前記第２の値と、前記第１の値が前記撮像部に設定されているときに前記撮像部によって生成された画像データとを前記撮像装置から入力する第１の入力部と、
前記第１の制御パラメータの第３の値と前記第２の制御パラメータの第４の値とを記憶する記憶部と、
前記第１の値と前記第３の値との第１の差分と、前記第２の値と前記第４の値との第２の差分とを算出する算出部と、
前記第１の差分を示す第１の差分情報と、前記第２の差分を示す第２の差分情報とを図示し、前記画像データに基づく画像を表示する表示部と、
を有し、
前記撮像装置は、
撮像を行い、画像データを生成する前記撮像部と、
前記第１の値を前記撮像設定装置から入力する第２の入力部と、
前記第１の値と前記第２の値とを前記撮像部に設定する設定部と、
前記第２の値と前記画像データとを前記撮像設定装置に出力する第２の出力部と、
を有する撮像システム。
【請求項３５】
生成部が、撮像を制御するための複数の制御パラメータのうち第１の制御パラメータの第１の値を生成する生成ステップと、
出力部が、前記第１の値を撮像装置に出力する出力ステップと、
入力部が、前記複数の制御パラメータのうち前記第１の制御パラメータと異なる第２の制御パラメータの第２の値であって、前記撮像装置の撮像部に設定された前記第１の値に連動して変化する前記第２の値を前記撮像装置から入力する第１の入力ステップと、
前記入力部が、前記第１の値が前記撮像部に設定されているときに前記撮像部によって生成された画像データを前記撮像装置から入力する第２の入力ステップと、
算出部が、前記第１の値と前記第１の制御パラメータの第３の値との第１の差分と、前記第２の値と前記第２の制御パラメータの第４の値との第２の差分とを算出する算出ステップと、
表示部が、前記第１の差分を示す第１の差分情報と、前記第２の差分を示す第２の差分情報とを図示する第１の表示ステップと、
前記表示部が、前記画像データに基づく画像を表示する第２の表示ステップと、
を有する撮像設定方法。
【請求項３６】
生成部が、撮像を制御するための複数の制御パラメータのうち第１の制御パラメータの第１の値を生成する生成ステップと、
設定部が、前記第１の値と、前記複数の制御パラメータのうち前記第１の制御パラメータと異なる第２の制御パラメータの第２の値であって、撮像部に設定された前記第１の値に連動して変化する前記第２の値とを前記撮像部に設定する設定ステップと、
算出部が、前記第１の値と前記第１の制御パラメータの第３の値との第１の差分と、前記第２の値と前記第２の制御パラメータの第４の値との第２の差分とを算出する算出ステップと、
表示部が、前記第１の差分を示す第１の差分情報と、前記第２の差分を示す第２の差分情報とを図示する第１の表示ステップと、
前記表示部が、前記第１の値が前記撮像部に設定されているときに前記撮像部によって生成された画像データに基づく画像を前記第１の値が前記撮像部に設定されているときに表示する第２の表示ステップと、
を有する撮像設定方法。
【請求項３７】
撮像を制御するための複数の制御パラメータのうち第１の制御パラメータの第１の値を生成する生成ステップと、
出力部によって、前記第１の値を撮像装置に出力する出力ステップと、
入力部によって、前記複数の制御パラメータのうち前記第１の制御パラメータと異なる第２の制御パラメータの第２の値であって、前記撮像装置の撮像部に設定された前記第１の値に連動して変化する前記第２の値を前記撮像装置から入力する第１の入力ステップと、
前記入力部によって、前記第１の値が前記撮像部に設定されているときに前記撮像部によって生成された画像データを前記撮像装置から入力する第２の入力ステップと、
前記第１の値と前記第１の制御パラメータの第３の値との第１の差分と、前記第２の値と前記第２の制御パラメータの第４の値との第２の差分とを算出する算出ステップと、
表示部によって、前記第１の差分を示す第１の差分情報と、前記第２の差分を示す第２の差分情報とを図示する第１の表示ステップと、
前記表示部によって、前記画像データに基づく画像を表示する第２の表示ステップと、
をコンピュータに実行させるためのプログラム。
【請求項３８】
撮像を制御するための複数の制御パラメータのうち第１の制御パラメータの第１の値を生成する生成ステップと、
前記第１の値と、前記複数の制御パラメータのうち前記第１の制御パラメータと異なる第２の制御パラメータの第２の値であって、撮像部に設定された前記第１の値に連動して変化する前記第２の値とを前記撮像部に設定する設定ステップと、
前記第１の値と前記第１の制御パラメータの第３の値との第１の差分と、前記第２の値と前記第２の制御パラメータの第４の値との第２の差分とを算出する算出ステップと、
表示部によって、前記第１の差分を示す第１の差分情報と、前記第２の差分を示す第２の差分情報とを図示する第１の表示ステップと、
前記表示部によって、前記第１の値が前記撮像部に設定されているときに前記撮像部によって生成された画像データに基づく画像を前記第１の値が前記撮像部に設定されているときに表示する第２の表示ステップと、
をコンピュータに実行させるためのプログラム。
【発明の詳細な説明】
【技術分野】
【０００１】
本発明は、撮像を制御するための制御パラメータを設定する技術に関する。
【背景技術】
【０００２】
撮像装置の状態を把握することを可能とする技術が開示されている。例えば、特許文献１には、画像における注目領域の露出が適正であるか否かを把握することを可能とする技術が開示されている。特許文献１に開示された技術では、画像における第１の領域の画像情報から基準の露出レベルが算出され、画像における第２の領域の画像情報から比較対象の露出レベルが算出される。また、基準の露出レベルと比較対象の露出レベルとの差分が算出され、算出された差分を示す差分情報が表示される。
【先行技術文献】
【特許文献】
【０００３】
【特許文献１】特開２００５−６４７８２号公報
【発明の概要】
【発明が解決しようとする課題】
【０００４】
特許文献１に開示された技術では、撮像を制御するための複数の制御パラメータのうち、露出に関する１つの制御パラメータの状態を把握することが可能である。しかし、１つの制御パラメータに連動して変化する他の制御パラメータの状態を把握しにくい。
【０００５】
本発明は、互いに連動する複数の制御パラメータの状態を把握しやすくする技術を提供する。
【課題を解決するための手段】
【０００６】
本発明は、撮像を制御するための複数の制御パラメータのうち第１の制御パラメータの第１の値を生成する生成部と、前記第１の値を撮像装置に出力する出力部と、前記複数の制御パラメータのうち前記第１の制御パラメータと異なる第２の制御パラメータの第２の値であって、前記撮像装置の撮像部に設定された前記第１の値に連動して変化する前記第２の値と、前記第１の値が前記撮像部に設定されているときに前記撮像部によって生成された第１の画像データとを前記撮像装置から入力する入力部と、前記第１の制御パラメータの第３の値と前記第２の制御パラメータの第４の値とを記憶する記憶部と、前記第１の値と前記第３の値との第１の差分と、前記第２の値と前記第４の値との第２の差分とを算出する算出部と、前記第１の差分を示す第１の差分情報と、前記第２の差分を示す第２の差分情報とを図示し、前記第１の画像データに基づく画像を表示する表示部と、を有する撮像設定装置である。
【０００７】
また、本発明は、撮像を行い、画像データを生成する撮像部と、撮像を制御するための複数の制御パラメータのうち第１の制御パラメータの第１の値を生成する生成部と、前記第１の値と、前記複数の制御パラメータのうち前記第１の制御パラメータと異なる第２の制御パラメータの第２の値であって、前記撮像部に設定された前記第１の値に連動して変化する前記第２の値とを前記撮像部に設定する設定部と、前記第１の制御パラメータの第３の値と前記第２の制御パラメータの第４の値とを記憶する記憶部と、前記第１の値と前記第３の値との第１の差分と、前記第２の値と前記第４の値との第２の差分とを算出する算出部と、前記第１の差分を示す第１の差分情報と、前記第２の差分を示す第２の差分情報とを図示し、前記第１の値が前記撮像部に設定されているときに前記撮像部によって生成された前記画像データに基づく画像を前記第１の値が前記撮像部に設定されているときに表示する表示部と、を有する撮像装置である。
【０００８】
また、本発明は、撮像設定装置と撮像装置とを有する撮像システムであって、前記撮像設定装置は、撮像を制御するための複数の制御パラメータのうち第１の制御パラメータの第１の値を生成する生成部と、前記第１の値を前記撮像装置に出力する第１の出力部と、前記複数の制御パラメータのうち前記第１の制御パラメータと異なる第２の制御パラメータの第２の値であって、前記撮像装置の撮像部に設定された前記第１の値に連動して変化する前記第２の値と、前記第１の値が前記撮像部に設定されているときに前記撮像部によって生成された画像データとを前記撮像装置から入力する第１の入力部と、前記第１の制御パラメータの第３の値と前記第２の制御パラメータの第４の値とを記憶する記憶部と、前記第１の値と前記第３の値との第１の差分と、前記第２の値と前記第４の値との第２の差分とを算出する算出部と、前記第１の差分を示す第１の差分情報と、前記第２の差分を示す第２の差分情報とを図示し、前記画像データに基づく画像を表示する表示部と、を有し、前記撮像装置は、撮像を行い、画像データを生成する前記撮像部と、前記第１の値を前記撮像設定装置から入力する第２の入力部と、前記第１の値と前記第２の値とを前記撮像部に設定する設定部と、前記第２の値と前記画像データとを前記撮像設定装置に出力する第２の出力部と、を有する撮像システムである。
【０００９】
また、本発明は、生成部が、撮像を制御するための複数の制御パラメータのうち第１の制御パラメータの第１の値を生成する生成ステップと、出力部が、前記第１の値を撮像装置に出力する出力ステップと、入力部が、前記複数の制御パラメータのうち前記第１の制御パラメータと異なる第２の制御パラメータの第２の値であって、前記撮像装置の撮像部に設定された前記第１の値に連動して変化する前記第２の値を前記撮像装置から入力する第１の入力ステップと、前記入力部が、前記第１の値が前記撮像部に設定されているときに前記撮像部によって生成された画像データを前記撮像装置から入力する第２の入力ステップと、算出部が、前記第１の値と前記第１の制御パラメータの第３の値との第１の差分と、前記第２の値と前記第２の制御パラメータの第４の値との第２の差分とを算出する算出ステップと、表示部が、前記第１の差分を示す第１の差分情報と、前記第２の差分を示す第２の差分情報とを図示する第１の表示ステップと、前記表示部が、前記画像データに基づく画像を表示する第２の表示ステップと、を有する撮像設定方法である。
【００１０】
また、本発明は、生成部が、撮像を制御するための複数の制御パラメータのうち第１の制御パラメータの第１の値を生成する生成ステップと、設定部が、前記第１の値と、前記複数の制御パラメータのうち前記第１の制御パラメータと異なる第２の制御パラメータの第２の値であって、撮像部に設定された前記第１の値に連動して変化する前記第２の値とを前記撮像部に設定する設定ステップと、算出部が、前記第１の値と前記第１の制御パラメータの第３の値との第１の差分と、前記第２の値と前記第２の制御パラメータの第４の値との第２の差分とを算出する算出ステップと、表示部が、前記第１の差分を示す第１の差分情報と、前記第２の差分を示す第２の差分情報とを図示する第１の表示ステップと、前記表示部が、前記第１の値が前記撮像部に設定されているときに前記撮像部によって生成された画像データに基づく画像を前記第１の値が前記撮像部に設定されているときに表示する第２の表示ステップと、を有する撮像設定方法である。
【００１１】
また、本発明は、撮像を制御するための複数の制御パラメータのうち第１の制御パラメータの第１の値を生成する生成ステップと、出力部によって、前記第１の値を撮像装置に出力する出力ステップと、入力部によって、前記複数の制御パラメータのうち前記第１の制御パラメータと異なる第２の制御パラメータの第２の値であって、前記撮像装置の撮像部に設定された前記第１の値に連動して変化する前記第２の値を前記撮像装置から入力する第１の入力ステップと、前記入力部によって、前記第１の値が前記撮像部に設定されているときに前記撮像部によって生成された画像データを前記撮像装置から入力する第２の入力ステップと、前記第１の値と前記第１の制御パラメータの第３の値との第１の差分と、前記第２の値と前記第２の制御パラメータの第４の値との第２の差分とを算出する算出ステップと、表示部によって、前記第１の差分を示す第１の差分情報と、前記第２の差分を示す第２の差分情報とを図示する第１の表示ステップと、前記表示部によって、前記画像データに基づく画像を表示する第２の表示ステップと、をコンピュータに実行させるためのプログラムである。
【００１２】
また、本発明は、撮像を制御するための複数の制御パラメータのうち第１の制御パラメータの第１の値を生成する生成ステップと、前記第１の値と、前記複数の制御パラメータのうち前記第１の制御パラメータと異なる第２の制御パラメータの第２の値であって、撮像部に設定された前記第１の値に連動して変化する前記第２の値とを前記撮像部に設定する設定ステップと、前記第１の値と前記第１の制御パラメータの第３の値との第１の差分と、前記第２の値と前記第２の制御パラメータの第４の値との第２の差分とを算出する算出ステップと、表示部によって、前記第１の差分を示す第１の差分情報と、前記第２の差分を示す第２の差分情報とを図示する第１の表示ステップと、前記表示部によって、前記第１の値が前記撮像部に設定されているときに前記撮像部によって生成された画像データに基づく画像を前記第１の値が前記撮像部に設定されているときに表示する第２の表示ステップと、をコンピュータに実行させるためのプログラムである。
【発明の効果】
【００１３】
本発明によれば、第１の制御パラメータの第１の差分情報と、第１の制御パラメータに連動する第２の制御パラメータの第２の差分情報とが表示される。これによって、互いに連動する複数の制御パラメータの状態を把握しやすくすることができる。
【図面の簡単な説明】
【００１４】
【図１】本発明の第１の実施形態による撮像設定装置の構成を示すブロック図である。
【図２】本発明の第１の実施形態による撮像設定装置の動作の手順を示すフローチャートである。
【図３】本発明の第１の実施形態の第１の例による撮像設定装置の構成を示すブロック図である。
【図４】本発明の第１の実施形態の第１の例による撮像設定装置の動作の手順を示すフローチャートである。
【図５】本発明の第１の実施形態の第１の例における表示部の画面の第１の例を示す参考図である。
【図６】本発明の第１の実施形態の第１の例における表示部の画面の第２の例を示す参考図である。
【図７】本発明の第１の実施形態の第１の例における表示部の画面の第３の例を示す参考図である。
【図８】本発明の第１の実施形態の第１の例における表示部の画面の第４の例を示す参考図である。
【図９】本発明の第１の実施形態の第１の例における表示部の画面の第５の例を示す参考図である。
【図１０】本発明の第１の実施形態の第２の例による撮像設定装置の動作の手順を示すフローチャートである。
【図１１】本発明の第１の実施形態の第２の例における表示部の画面の例を示す参考図である。
【図１２】本発明の第１の実施形態の第３の例による撮像設定装置の動作の手順を示すフローチャートである。
【図１３】本発明の第１の実施形態の第３の例における表示部の画面の例を示す参考図である。
【図１４】本発明の第１の実施形態の第４の例による撮像設定装置の動作の手順を示すフローチャートである。
【図１５】本発明の第１の実施形態の第４の例における表示部の画面の例を示す参考図である。
【図１６】本発明の第１の実施形態の第５の例による撮像設定装置の動作の手順を示すフローチャートである。
【図１７】本発明の第１の実施形態の第５の例における表示部の画面の例を示す参考図である。
【図１８】本発明の第１の実施形態の第６の例による撮像設定装置の動作の手順を示すフローチャートである。
【図１９】本発明の第１の実施形態の第６の例における表示部の画面の例を示す参考図である。
【図２０】本発明の第１の実施形態の第７の例による撮像設定装置の動作の手順を示すフローチャートである。
【図２１】本発明の第１の実施形態の第７の例における表示部の画面の第１の例を示す参考図である。
【図２２】本発明の第１の実施形態の第７の例における表示部の画面の第２の例を示す参考図である。
【図２３】本発明の第１の実施形態の第７の例における表示部の画面の第３の例を示す参考図である。
【図２４】本発明の第１の実施形態の第７の例における表示部の画面の第４の例を示す参考図である。
【図２５】本発明の第１の実施形態の第７の例における表示部の画面の第５の例を示す参考図である。
【図２６】本発明の第１の実施形態の第７の例における表示部の画面の第６の例を示す参考図である。
【図２７】本発明の第２の実施形態による撮像装置の構成を示すブロック図である。
【図２８】本発明の第２の実施形態による撮像装置の動作の手順を示すフローチャートである。
【図２９】本発明の第３の実施形態による撮像システムの構成を示すブロック図である。
【発明を実施するための形態】
【００１５】
以下、図面を参照し、本発明の実施形態を説明する。
【００１６】
（第１の実施形態）
まず、本発明の第１の実施形態を説明する。図１は、本実施形態による撮像設定装置１０の構成を示している。図１に示すように、撮像設定装置１０は、生成部１００と、出力部１０１と、入力部１０２と、記憶部１０３と、算出部１０４と、表示部１０５とを有する。
【００１７】
生成部１００は、撮像を制御するための複数の制御パラメータのうち第１の制御パラメータの第１の値を生成する。出力部１０１は、第１の値を撮像装置２０に出力する。入力部１０２は、複数の制御パラメータのうち第１の制御パラメータと異なる第２の制御パラメータの第２の値と、第１の値が撮像装置２０の撮像部に設定されているときに撮像部によって生成された第１の画像データとを撮像装置２０から入力する。第２の値は、撮像部に設定された第１の値に連動して変化する。また、入力部１０２は、第１の値が撮像部に設定されているときに撮像部によって生成された第１の画像データを撮像装置２０から入力する。
【００１８】
記憶部１０３は、第１の制御パラメータの第３の値と第２の制御パラメータの第４の値とを記憶する。算出部１０４は、第１の値と第３の値との第１の差分と、第２の値と第４の値との第２の差分とを算出する。表示部１０５は、第１の差分を示す第１の差分情報と、第２の差分を示す第２の差分情報とを図示する。また、表示部１０５は、第１の画像データに基づく画像を表示する。
【００１９】
例えば、生成部１００と算出部１０４との機能は、これらの動作を規定する命令を含むプログラムを、撮像設定装置１０のコンピュータが読み込んで実行することにより、ソフトウェアの機能として実現可能である。また、このプログラムは、例えばフラッシュメモリのような「コンピュータ読み取り可能な記録媒体」により提供されてもよい。また、上述したプログラムは、このプログラムを記憶装置等に格納したコンピュータから、伝送媒体を介して、あるいは伝送媒体中の伝送波により撮像設定装置１０に伝送されることで撮像設定装置１０に入力されてもよい。ここで、プログラムを伝送する「伝送媒体」は、インターネット等のネットワーク（通信網）や電話回線等の通信回線（通信線）のように、情報を伝送する機能を有する媒体である。また、上述したプログラムは、前述した機能の一部を実現してもよい。さらに、上述したプログラムは、前述した機能をコンピュータに既に記録されているプログラムとの組合せで実現できる、いわゆる差分ファイル（差分プログラム）であってもよい。
【００２０】
次に、図２を参照して、撮像設定装置１０の動作を説明する。図２は、制御パラメータの設定に関する撮像設定装置１０の動作の手順を示している。
【００２１】
制御パラメータの設定に関する動作が開始されると、生成部１００は、撮像を制御するための複数の制御パラメータのうち第１の制御パラメータの第１の値を生成する（ステップＳ１００）。第１の制御パラメータは、ユーザによって値が設定される制御パラメータである。例えば、第１の制御パラメータは、露出に関するパラメータである。例えば、絞りの設定値に連動して、露出が適正になるようにシャッタースピードの値が設定される絞り優先モードでは、第１の制御パラメータは絞りである。第１の値が生成された後、出力部１０１は、生成部１００によって生成された第１の値を撮像装置２０に出力する（ステップＳ１０５）。
【００２２】
第１の値が出力された後、入力部１０２は、複数の制御パラメータのうち第１の制御パラメータと異なる第２の制御パラメータの第２の値であって、撮像部に設定された第１の値に連動して変化する第２の値を撮像装置２０から入力する（ステップＳ１１０）。例えば、第２の制御パラメータは、露出に関するパラメータである。例えば、絞り優先モードでは、第２の制御パラメータはシャッタースピードである。第２の値が入力された後、入力部１０２は、第１の値が撮像部に設定されているときに撮像部によって生成された第１の画像データを撮像装置２０から入力する（ステップＳ１１５）。
【００２３】
第１の画像データが入力された後、算出部１０４は、第１の値と第１の制御パラメータの第３の値との第１の差分と、第２の値と第２の制御パラメータの第４の値との第２の差分とを算出する（ステップＳ１２０）。例えば、第３の値は、第１の値が撮像部に設定される前に撮像部に設定されていた第１の制御パラメータの値である。あるいは、第３の値は、第１の制御パラメータの値として推奨される推奨値である。例えば、第４の値は、第２の値が撮像部に設定される前に第２の制御パラメータの値として撮像部に設定された設定値である。あるいは、第４の値は、第２の制御パラメータの値として推奨される推奨値である。第４の値は、撮像部に設定された第３の値に連動して第２の制御パラメータの値として撮像部に設定された設定値であってもよい。ステップＳ１２０では、算出部１０４は、記憶部１０３から第３の値と第４の値とを読み出す。また、ステップＳ１２０では、算出部１０４は、記憶部１０３から読み出された第３の値および第４の値と、撮像装置２０から入力された第１の値および第２の値とを用いて第１の差分と第２の差分とを算出する。
【００２４】
第１の差分と第２の差分とが算出された後、表示部１０５は、第１の差分を示す第１の差分情報と、第２の差分を示す第２の差分情報とを図示する（ステップＳ１２５）。第１の差分情報と第２の差分情報とが図示された後、表示部１０５は、入力部１０２によって入力された第１の画像データに基づく画像を表示する（ステップＳ１３０）。
【００２５】
ステップＳ１１５の処理が行われた後、ステップＳ１１０の処理が行われてもよい。また、ステップＳ１３０の処理が行われた後、ステップＳ１２５の処理が行われてもよい。また、ステップＳ１２０の処理が行われる前にステップＳ１３０の処理が行われてもよい。
【００２６】
本実施形態によれば、撮像を制御するための複数の制御パラメータのうち第１の制御パラメータの第１の値を生成する生成部１００と、第１の値を撮像装置２０に出力する出力部１０１と、複数の制御パラメータのうち第１の制御パラメータと異なる第２の制御パラメータの第２の値であって、撮像装置２０の撮像部に設定された第１の値に連動して変化する第２の値と、第１の値が撮像部に設定されているときに撮像部によって生成された第１の画像データとを撮像装置２０から入力する入力部１０２と、第１の制御パラメータの第３の値と第２の制御パラメータの第４の値とを記憶する記憶部１０３と、第１の値と第３の値との第１の差分と、第２の値と第４の値との第２の差分とを算出する算出部１０４と、第１の差分を示す第１の差分情報と、第２の差分を示す第２の差分情報とを図示し、第１の画像データに基づく画像を表示する表示部１０５と、を有する撮像設定装置１０が構成される。
【００２７】
また、本実施形態によれば、生成部１００が、撮像を制御するための複数の制御パラメータのうち第１の制御パラメータの第１の値を生成する生成ステップ（ステップＳ１００）と、出力部１０１が、第１の値を撮像装置２０に出力する出力ステップ（ステップＳ１０５）と、入力部１０２が、複数の制御パラメータのうち第１の制御パラメータと異なる第２の制御パラメータの第２の値であって、撮像装置２０の撮像部に設定された第１の値に連動して変化する第２の値を撮像装置２０から入力する第１の入力ステップ（ステップＳ１１０）と、入力部１０２が、第１の値が撮像部に設定されているときに撮像部によって生成された画像データを撮像装置２０から入力する第２の入力ステップ（ステップＳ１１５）と、算出部１０４が、第１の値と第１の制御パラメータの第３の値との第１の差分と、第２の値と第２の制御パラメータの第４の値との第２の差分とを算出する算出ステップ（ステップＳ１２０）と、表示部１０５が、第１の差分を示す第１の差分情報と、第２の差分を示す第２の差分情報とを図示する第１の表示ステップ（ステップＳ１２５）と、表示部１０５が、画像データに基づく画像を表示する第２の表示ステップ（ステップＳ１３０）と、を有する撮像設定方法が構成される。
【００２８】
また、本実施形態によれば、撮像を制御するための複数の制御パラメータのうち第１の制御パラメータの第１の値を生成する生成ステップ（ステップＳ１００）と、出力部１０１によって、第１の値を撮像装置２０に出力する出力ステップ（ステップＳ１０５）と、入力部１０２によって、複数の制御パラメータのうち第１の制御パラメータと異なる第２の制御パラメータの第２の値であって、撮像装置２０の撮像部に設定された第１の値に連動して変化する第２の値を撮像装置２０から入力する第１の入力ステップ（ステップＳ１１０）と、入力部１０２によって、第１の値が撮像部に設定されているときに撮像部によって生成された画像データを撮像装置２０から入力する第２の入力ステップ（ステップＳ１１５）と、第１の値と第１の制御パラメータの第３の値との第１の差分と、第２の値と第２の制御パラメータの第４の値との第２の差分とを算出する算出ステップ（ステップＳ１２０）と、表示部１０５によって、第１の差分を示す第１の差分情報と、第２の差分を示す第２の差分情報とを図示する第１の表示ステップ（ステップＳ１２５）と、表示部１０５によって、画像データに基づく画像を表示する第２の表示ステップ（ステップＳ１３０）と、をコンピュータに実行させるためのプログラムが構成される。
【００２９】
本実施形態では、第１の制御パラメータの第１の差分情報と、第１の制御パラメータに連動する第２の制御パラメータの第２の差分情報とが表示される。これによって、互いに連動する複数の制御パラメータの状態を把握しやすくすることができる。ユーザは、どの制御パラメータが互いに連動するのかを把握しやすい。
【００３０】
次に、本実施形態の具体的な例を説明する。
【００３１】
（第１の例）
図３は、撮像設定装置１０の具体的な例である撮像設定装置１１の構成を示している。図３に示すように、撮像設定装置１１は、生成部１００と、出力部１０１と、入力部１０２と、記憶部１０３と、算出部１０４と、表示部１０５と、操作部１０６とを有する。既に説明した構成については、説明を省略する。
【００３２】
操作部１０６は、撮像を制御するための複数の制御パラメータのうち第１の制御パラメータの第１の値の指示をユーザから受け付ける。したがって、第１の制御パラメータの第１の値は、ユーザからの指示に基づく。操作部１０６は、表示部１０５に配置されたタッチパネルであってもよい。生成部１００は、操作部１０６が受け付けた指示に基づいて第１の値を生成する。
【００３３】
本例では、入力部１０２は、撮像を制御するための複数の制御パラメータのうち第１の制御パラメータの第１の値が撮像部に設定される前に撮像部に設定されていた第１の制御パラメータの値である第３の値を入力する。また、入力部１０２は、第２の値が撮像部に設定される前に撮像部に設定されていた第２の制御パラメータの値である第４の値を撮像装置２０から入力する。記憶部１０３は、入力部１０２によって入力された第３の値と第４の値とを記憶する。
【００３４】
本例では、入力部１０２は、第３の値が撮像部に設定されているときに撮像部によって生成された第２の画像データを撮像装置２０から入力する。表示部１０５は、第２の画像データに基づく画像を表示する。
【００３５】
本例では、入力部１０２は、動画を構成する複数の第２の画像データまたは静止画を構成する１枚の第２の画像データを撮像装置２０から入力する。表示部１０５は、複数の第２の画像データに基づく動画を表示する。あるいは、表示部１０５は、１枚の第２の画像データに基づく静止画を表示する。
【００３６】
本例では、入力部１０２は、第２の値と、第１の値が撮像部に設定されているときに撮像部によって生成された、動画を構成する複数の第１の画像データとを撮像装置２０から入力する。表示部１０５は、第１の差分情報と第２の差分情報とを図示し、複数の第１の画像データに基づく動画を表示する。
【００３７】
本例では、複数のモードのいずれかが撮像部に設定される。撮像部に設定されるモードを切り替えることが可能である。本例では、絞りの設定値に連動して、露出が適正になるようにシャッタースピードの値が設定される絞り優先モードが撮像部に設定される。本例では、第１の制御パラメータと第２の制御パラメータとは、露出に関するパラメータである。絞り優先モードでは、第１の制御パラメータは絞りであり、第２の制御パラメータはシャッタースピードである。
【００３８】
本例では、第１の制御パラメータの第１の値は絞りの設定値である。第２の制御パラメータの第２の値はシャッタースピードの設定値である。第１の制御パラメータの第３の値は、第１の値が撮像部に設定される前に撮像部に設定されていた絞りの設定値である。第２の制御パラメータの第４の値は、第２の値が撮像部に設定される前に撮像部に設定されていたシャッタースピードの設定値である。
【００３９】
図４を参照して、撮像設定装置１１の動作を説明する。図４は、制御パラメータの設定に関する撮像設定装置１１の動作の手順を示している。
【００４０】
制御パラメータの設定に関する動作が開始されると、入力部１０２は、第１の制御パラメータである絞りの設定値（第１の値）が撮像部に設定される前に撮像部に設定されていた絞りの設定値（第３の値）を入力する。また、入力部１０２は、第２の制御パラメータであるシャッタースピードの設定値（第２の値）が撮像部に設定される前に撮像部に設定されていたシャッタースピードの設定値（第４の値）を撮像装置２０から入力する（ステップＳ２００）。
【００４１】
設定値が入力された後、記憶部１０３は、入力部１０２によって入力された絞りの設定値（第３の値）とシャッタースピードの設定値（第４の値）とを基準値として記憶する（ステップＳ２０５）。絞りの基準値（第３の値）とシャッタースピードの基準値（第４の値）とは、互いに関連付けられて記憶されていてもよい。
【００４２】
基準値が記憶された後、入力部１０２は、絞りの基準値（第３の値）とシャッタースピードの基準値（第４の値）とが撮像部に設定されているときに撮像部によって生成された第２の画像データを撮像装置２０から入力する（ステップＳ２１０）。例えば、ステップＳ２１０では、入力部１０２は、動画を構成する複数の第２の画像データまたは静止画を構成する１枚の第２の画像データを撮像装置２０から入力する。
【００４３】
第２の画像データが入力された後、表示部１０５は、入力部１０２によって入力された第２の画像データに基づく画像を表示する（ステップＳ２１５）。例えば、ステップＳ２１５では、表示部１０５は、複数の第２の画像データに基づく動画を表示する。あるいは、ステップＳ２１５では、表示部１０５は、１枚の第２の画像データに基づく静止画を表示する。
【００４４】
画像が表示された後、生成部１００は、絞りの設定値（第１の値）を生成する（ステップＳ２２０）。ステップＳ２２０は図２のステップＳ１００に対応する。
【００４５】
絞りの設定値（第１の値）が生成された後、出力部１０１は、生成部１００によって生成された絞りの設定値（第１の値）を撮像装置２０に出力する（ステップＳ２２５）。ステップＳ２２５は図２のステップＳ１０５に対応する。
【００４６】
絞りの設定値（第１の値）が出力された後、入力部１０２は、撮像部に設定された絞りの設定値（第１の値）と、その絞りの設定値（第１の値）に連動して変化するシャッタースピードの設定値（第２の値）とを撮像装置２０から入力する（ステップＳ２３０）。ステップＳ２３０は図２のステップＳ１１０に対応する。絞りの設定値（第１の値）が撮像装置２０から入力される代わりに、ステップＳ２２０で生成された絞りの設定値（第１の値）が記憶部１０３に記憶されてもよい。絞りの設定値（第１の値）が撮像装置２０から入力されることによって、実際に撮像装置２０に設定された値に基づいて処理が行われる。
【００４７】
設定値が入力された後、入力部１０２は、絞りの設定値（第１の値）とシャッタースピードの設定値（第２の値）とが撮像部に設定されているときに撮像部によって生成された第１の画像データを撮像装置２０から入力する（ステップＳ２３５）。例えば、ステップＳ２３５では、入力部１０２は、動画を構成する複数の第１の画像データを撮像装置２０から入力する。入力部１０２は、静止画を構成する１枚の第１の画像データを撮像装置２０から入力してもよい。ステップＳ２３５は図２のステップＳ１１５に対応する。
【００４８】
第１の画像データが入力された後、算出部１０４は、撮像装置２０から入力された絞りの設定値（第１の値）と、記憶部１０３に記憶されている絞りの基準値（第３の値）との第１の差分を算出する。また、算出部１０４は、撮像装置２０から入力されたシャッタースピードの設定値（第２の値）と、記憶部１０３に記憶されているシャッタースピードの基準値（第４の値）との第２の差分を算出する（ステップＳ２４０）。ステップＳ２４０は図２のステップＳ１２０に対応する。
【００４９】
第１の差分と第２の差分とが算出された後、表示部１０５は、第１の差分を示す第１の差分情報と、第２の差分を示す第２の差分情報とを図示する（ステップＳ２４５）。ステップＳ２４５は図２のステップＳ１２５に対応する。
【００５０】
第１の差分情報と第２の差分情報とが図示された後、表示部１０５は、入力部１０２によって入力された第１の画像データに基づく画像を表示する（ステップＳ２５０）。例えば、ステップＳ２５０では、表示部１０５は、複数の第１の画像データに基づく動画を表示する。表示部１０５は、静止画を構成する１枚の第１の画像データに基づく静止画を表示してもよい。ステップＳ２５０は図２のステップＳ１３０に対応する。
【００５１】
ステップＳ２２０からステップＳ２５０の処理が繰り返し行われてもよい。つまり、絞りの設定値が繰り返し更新され、それに応じて画像が更新されてもよい。
【００５２】
ステップＳ２００からステップＳ２１５の少なくともいずれかの処理は、任意である。つまり、ステップＳ２００からステップＳ２１５の少なくともいずれかの処理が行われなくてもよい。
【００５３】
ステップＳ２００とステップＳ２０５との処理が行われる代わりに、ユーザが絞りの設定値（第３の値）とシャッタースピードの設定値（第４の値）とを知り、それらを撮像設定装置１１に入力してもよい。
【００５４】
ステップＳ２００またはステップＳ２０５の処理が行われる前にステップＳ２１０またはステップＳ２１５の処理が行われてもよい。また、ステップＳ２２０からステップＳ２５０の少なくともいずれかの処理が行われた後にステップＳ２１０とステップＳ２１５との処理が行われてもよい。
【００５５】
ステップＳ２３５の処理が行われた後、ステップＳ２３０の処理が行われてもよい。また、ステップＳ２５０の処理が行われた後、ステップＳ２４５の処理が行われてもよい。また、ステップＳ２４０の処理が行われる前にステップＳ２５０の処理が行われてもよい。
【００５６】
撮像装置２０は、第１の画像データと第２の画像データとを同時に撮像設定装置１１に出力してもよい。例えば、撮像装置２０は、第１の画像データを生成する第１の撮像部と、第２の画像データを生成する第２の撮像部とを有していてもよい。あるいは、撮像装置２０は、１フレーム毎に交互に第１の画像データと第２の画像データとを出力してもよい。
【００５７】
図５は、表示部１０５の画面の第１の例を示している。表示部１０５は、領域１２０と、領域１３０と、画像領域１４０とを表示する。第１の制御パラメータの第１の差分情報が領域１２０に表示される。具体的には、絞りの第１の差分情報が領域１２０に表示される。第２の制御パラメータの第２の差分情報が領域１３０に表示される。具体的には、シャッタースピードの第２の差分情報が領域１３０に表示される。撮像装置２０から入力された画像データに基づく画像が画像領域１４０に表示される。
【００５８】
領域１２０と、領域１３０との形状は、縦方向に細長い長方形である。領域１２０と、領域１３０とは、画像領域１４０の左側に配置されている。領域１２０は、画像領域１４０に隣接している。領域１３０は、領域１２０に隣接している。図５に示すように、領域１２０と領域１３０とが隣接していることが望ましい。
【００５９】
表示部１０５は、絞りの第１の差分情報を示す図形である矢印１２１と、絞りの設定値を示す図形である円１２２とを領域１２０に表示する。つまり、表示部１０５は、矢印１２１によって第１の差分情報を表示する。円１２２は矢印１２１の頭の位置に表示される。
【００６０】
領域１２０の範囲は、撮像部に設定可能な絞りの値の範囲に対応する。領域１２０において、より上側の位置が、露出がより大きな設定値に対応する。領域１２０の上端は、撮像部に設定可能な絞りの値の最小値に対応する。また、領域１２０において、より下側の位置が、露出がより小さな設定値に対応する。領域１２０の下端は、撮像部に設定可能な絞りの値の最大値に対応する。露出が大きくなるほど、絞りは大きくなるが、絞りの値（Ｆ値）は小さくなる。入力部１０２は、撮像部に設定可能な絞りの値の最大値と最小値とを撮像装置２０から入力してもよい。また、記憶部１０３は、撮像部に設定可能な絞りの値の最大値と最小値とを記憶してもよい。
【００６１】
矢印１２１の頭の位置は、絞りの設定値（第１の値）に対応する。矢印１２１の尾の位置は、絞りの基準値（第３の値）に対応する。例えば、絞りの設定値（第１の値）が撮像部に設定される前、円１２２は矢印１２１の尾の位置に表示され、矢印１２１は表示されていない。絞りの設定値（第１の値）が撮像部に設定される前の円１２２が破線で示されている。矢印１２１の長さは、絞りの設定値（第１の値）と絞りの基準値（第３の値）との差分の大きさを示している。表示部１０５は、円１２２によって、絞りの設定値（第１の値）または絞りの基準値（第３の値）を図示する。
【００６２】
円１２２は移動可能である。ユーザは、操作部１０６を操作することによって、円１２２を移動させる。これによって、操作部１０６は、絞りの設定値（第１の値）の指示をユーザから受け付ける。円１２２の移動に応じて矢印１２１が表示される。操作部１０６は、円１２２の位置の情報を生成部１００に出力する。生成部１００は、円１２２の位置に対応する絞りの設定値（第１の値）を生成する。操作部１０６は、第１の制御パラメータと第２の制御パラメータとのうち第１の制御パラメータに関する円１２２の移動に係る指示のみを受け付ける。操作部１０６は、第２の制御パラメータに関する円１３２の移動に係る指示を受け付けない。
【００６３】
表示部１０５は、シャッタースピードの第２の差分情報を示す図形である矢印１３１と、シャッタースピードの設定値を示す図形である円１３２とを領域１３０に表示する。つまり、表示部１０５は、矢印１３１によって第２の差分情報を表示する。円１３２は矢印１３１の頭の位置に表示される。
【００６４】
領域１３０の範囲は、撮像部に設定可能なシャッタースピードの値の範囲に対応する。領域１３０において、より上側の位置が、露出がより大きな設定値に対応する。領域１３０の上端は、撮像部に設定可能なシャッタースピードの値の最大値（最も遅い値）に対応する。また、領域１３０において、より下側の位置が、露出がより小さな設定値に対応する。領域１３０の下端は、撮像部に設定可能なシャッタースピードの値の最小値（最も速い値）に対応する。入力部１０２は、撮像部に設定可能なシャッタースピードの値の最大値と最小値とを撮像装置２０から入力してもよい。また、記憶部１０３は、撮像部に設定可能なシャッタースピードの値の最大値と最小値とを記憶してもよい。
【００６５】
矢印１３１の頭の位置は、シャッタースピードの設定値（第２の値）に対応する。矢印１３１の尾の位置は、シャッタースピードの基準値（第４の値）に対応する。例えば、シャッタースピードの設定値（第２の値）が撮像部に設定される前、円１３２は矢印１３１の尾の位置に表示され、矢印１３１は表示されていない。シャッタースピードの設定値（第２の値）が撮像部に設定される前の円１３２が破線で示されている。矢印１３１の長さは、シャッタースピードの設定値（第２の値）とシャッタースピードの基準値（第４の値）との差分の大きさを示している。表示部１０５は、円１３２によって、シャッタースピードの設定値（第２の値）またはシャッタースピードの基準値（第４の値）を図示する。
【００６６】
ユーザが円１２２を移動させた後、入力部１０２は、シャッタースピードの設定値（第２の値）を撮像装置２０から入力する。表示部１０５は、領域１３０においてシャッタースピードの設定値（第２の値）に対応する位置に円１３２を表示する。これによって、円１３２が移動する。また、表示部１０５は、矢印１３１を表示する。
【００６７】
例えば、領域１２０と領域１３０との長さは等しい。つまり、表示部１０５は、撮像部に設定可能な絞りの値の範囲と、撮像部に設定可能なシャッタースピードの値の範囲とを同一のスケールで表示する。
【００６８】
表示部１０５は、第１の表示形態で矢印１２１を表示し、第１の表示形態と異なる第２の表示形態で矢印１３１を表示してもよい。例えば、矢印１２１と矢印１３１とが異なる色で表示されてもよい。矢印１２１と矢印１３１とが異なる明るさで表示されてもよい。矢印１２１の模様と矢印１３１の模様とが異なっていてもよい。第１の差分情報を示す図形の種類と、第２の差分情報を示す図形の種類とが異なっていてもよい。これによって、ユーザは、第１の制御パラメータと第２の制御パラメータとを識別しやすい。
【００６９】
表示部１０５は、第１の表示形態で領域１２０を表示し、第１の表示形態と異なる第２の表示形態で領域１３０を表示してもよい。すなわち、表示部１０５は、第１の表示形態で表示された領域１２０に矢印１２１を表示し、第１の表示形態と異なる第２の表示形態で表示された領域１３０に矢印１３１を表示してもよい。例えば、領域１２０と領域１３０とが異なる色で表示されてもよい。領域１２０と領域１３０とが異なる明るさで表示されてもよい。領域１２０の模様と領域１３０の模様とが異なっていてもよい。
【００７０】
領域１２０と領域１３０とが１つの領域であってもよい。つまり、表示部１０５は、第１の差分情報と第２の差分情報とを同一の領域に表示してもよい。
【００７１】
ユーザは、矢印１２１が示す第１の差分情報に応じて、矢印１３１が示す第２の差分情報を把握することができる。つまり、ユーザは、絞りの値とシャッタースピードの値とが互いに連動することを視覚的に把握することができる。さらに、ユーザは、絞りの値の変化量に応じたシャッタースピードの値の変化量を視覚的に把握することができる。
【００７２】
また、ユーザは、円１２２が示す絞りの値と、円１３２が示すシャッタースピードの値とを視覚的に把握することができる。例えば、ユーザは、絞りの設定値（第１の値）に対応するシャッタースピードの設定値（第２の値）を視覚的に把握することができる。
【００７３】
したがって、ユーザは、互いに連動する複数の制御パラメータの関係を視覚的に把握することができる。また、ユーザは、複数の制御パラメータの調整方法を学習することができる。
【００７４】
表示部１０５は、絞りの設定値（第１の値）とシャッタースピードの設定値（第２の値）とが撮像部に設定されているときに撮像部によって生成された第１の画像データに基づく画像１４１を画像領域１４０に表示する。また、表示部１０５は、絞りの基準値（第３の値）とシャッタースピードの基準値（第４の値）とが撮像部に設定されているときに撮像部によって生成された第２の画像データに基づく画像１４２を画像領域１４０に表示する。
【００７５】
画像１４２は画像１４１に重なっている。画像１４１と画像１４２とが、互いに重ならないように表示されてもよい。
【００７６】
ユーザは、絞りの設定値（第１の値）とシャッタースピードの設定値（第２の値）とが反映された画像１４１の状態を確認することができる。つまり、ユーザは、絞りとシャッタースピードとの設定値が変更された後の画像１４１の状態を確認することができる。また、ユーザは、絞りの基準値（第３の値）とシャッタースピードの基準値（第４の値）とが反映された画像１４２の状態を確認することができる。つまり、ユーザは、絞りとシャッタースピードとの設定値が変更される前の画像１４２の状態を確認することができる。
【００７７】
表示部１０５は、画像１４２を表示しなくてもよい。ユーザは、絞りとシャッタースピードとの設定値が変更された後の画像１４１を参考にして、露出の状態を判断することができる。
【００７８】
図６は、表示部１０５の画面の第２の例を示している。図６では、円１２２と円１３２とが表示されていない。例えば、ユーザは、矢印１２１の頭の位置を移動させることによって、絞りの値を設定する。これ以外については、図６は図５と同様である。ユーザは、矢印１２１の頭と尾とのそれぞれの位置によって、絞りの設定値（第１の値）と絞りの基準値（第３の値）とを把握することができる。また、ユーザは、矢印１３１の頭と尾とのそれぞれの位置によって、シャッタースピードの設定値（第２の値）とシャッタースピードの基準値（第４の値）とを把握することができる。
【００７９】
図７は、表示部１０５の画面の第３の例を示している。図７では、領域１２０と、領域１３０との形状は、横方向に細長い長方形である。領域１２０と、領域１３０とは、画像領域１４０の上側に配置されている。
【００８０】
表示部１０５は、第１の画像データに基づく画像１４１を画像領域１４０に表示する。表示部１０５は、第２の画像データに基づく画像１４２を画像領域１４０に表示してもよい。
【００８１】
図８は、表示部１０５の画面の第４の例を示している。表示部１０５は、画像領域１４０を表示する。絞りの第１の差分情報と、シャッタースピードの第２の差分情報と、撮像装置２０から入力された画像データに基づく画像とが画像領域１４０に表示される。画像領域１４０は、第１の差分情報を表示する第１の領域であると同時に、第２の差分情報を表示する第２の領域である。
【００８２】
表示部１０５は、絞りの設定値（第１の値）を示す円１５０と、絞りの基準値（第３の値）を示す円１５１と、撮像部に設定可能な絞りの値の最大値を示す円１５２と、撮像部に設定可能な絞りの値の最小値を示す円１５３とを表示する。円１５０と、円１５１と、円１５２と、円１５３との中心の位置は同一である。
【００８３】
円１５２から円１５３までの範囲が、撮像部に設定可能な絞りの値の範囲に対応する。円１５０から円１５１までの範囲が、絞りに関する第１の差分に対応する。つまり、円１５０と円１５１とは、第１の差分情報に対応する。
【００８４】
円１５０の大きさは変更可能である。ユーザは、操作部１０６を操作することによって、円１５０の大きさを変化させる。これによって、操作部１０６は、絞りの設定値（第１の値）の指示をユーザから受け付ける。操作部１０６は、円１５０の位置の情報を生成部１００に出力する。生成部１００は、円１５０の位置に対応する絞りの設定値（第１の値）を生成する。
【００８５】
表示部１０５は、シャッタースピードの設定値（第２の値）を示す円１６０と、シャッタースピードの基準値（第４の値）を示す円１６１と、撮像部に設定可能なシャッタースピードの値の最大値を示す円１６２と、撮像部に設定可能なシャッタースピードの値の最小値を示す円１６３とを表示する。円１６０と、円１６１と、円１６２と、円１６３との中心の位置は同一である。
【００８６】
円１６２から円１６３までの範囲が、撮像部に設定可能なシャッタースピードの値の範囲に対応する。円１６０から円１６１までの範囲が、シャッタースピードに関する第２の差分に対応する。つまり、円１６０と円１６１とは、第２の差分情報に対応する。
【００８７】
ユーザが円１５０の大きさを変化させた後、入力部１０２は、シャッタースピードの設定値（第２の値）を撮像装置２０から入力する。表示部１０５は、シャッタースピードの設定値（第２の値）に対応する位置に円１６０を表示する。
【００８８】
例えば、円１５２と円１６２との大きさは等しく、円１５３と円１６３との大きさは等しい。つまり、表示部１０５は、撮像部に設定可能な絞りの値の範囲と、撮像部に設定可能なシャッタースピードの値の範囲とを同一のスケールで表示する。
【００８９】
表示部１０５は、第１の表示形態で円１５０と円１５１とを表示し、第１の表示形態と異なる第２の表示形態で円１６０と円１６１とを表示してもよい。例えば、円１５０および円１５１と円１６０および円１６１とが異なる色で表示されてもよい。円１５０および円１５１と円１６０および円１６１とが異なる明るさで表示されてもよい。円１５０および円１５１の模様と円１６０および円１６１の模様とが異なっていてもよい。
【００９０】
表示部１０５は、第１の画像データに基づく画像１４１を画像領域１４０に表示する。表示部１０５は、第２の画像データに基づく画像１４２を画像領域１４０に表示してもよい。
【００９１】
図９は、表示部１０５の画面の第５の例を示している。表示部１０５は、画像領域１４０を表示する。絞りの第１の差分情報と、シャッタースピードの第２の差分情報と、撮像装置２０から入力された画像データに基づく画像とが画像領域１４０に表示される。画像領域１４０は、第１の差分情報を表示する第１の領域であると同時に、第２の差分情報を表示する第２の領域である。
【００９２】
表示部１０５は、絞りに関する図形１７０を表示する。図形１７０は、第１の差分情報を示す図形１７１を含む。図形１７１の第１の端部１７２は、絞りの設定値（第１の値）を示している。図形１７１の第２の端部１７３は、絞りの基準値（第３の値）を示している。
【００９３】
図形１７０の第１の端部１７４は、撮像部に設定可能な絞りの値の最大値を示している。図形１７０の第２の端部１７５は、撮像部に設定可能な絞りの値の最小値を示している。
【００９４】
図形１７１の大きさは変更可能である。ユーザは、操作部１０６を操作することによって、図形１７１の大きさを変化させる。図形１７１の第１の端部１７２が移動することによって、図形１７１の大きさが変化する。これによって、操作部１０６は、絞りの設定値（第１の値）の指示をユーザから受け付ける。操作部１０６は、図形１７１の第１の端部１７２の位置の情報を生成部１００に出力する。生成部１００は、図形１７１の第１の端部１７２の位置に対応する絞りの設定値（第１の値）を生成する。
【００９５】
表示部１０５は、絞りに関する図形１８０を表示する。図形１８０は、第１の差分情報を示す図形１８１を含む。図形１８１の第１の端部１８２は、シャッタースピードの基準値（第４の値）を示している。図形１８１の第２の端部１８３は、シャッタースピードの設定値（第２の値）を示している。
【００９６】
図形１８０の第１の端部１８４は、撮像部に設定可能なシャッタースピードの値の最大値を示している。図形１８０の第２の端部１８５は、撮像部に設定可能なシャッタースピードの値の最小値を示している。
【００９７】
ユーザが図形１７１の大きさを変化させた後、入力部１０２は、シャッタースピードの設定値（第２の値）を撮像装置２０から入力する。表示部１０５は、シャッタースピードの設定値（第２の値）に対応する位置と図形１８１の第２の端部１８３の位置とが一致するように図形１８１を表示する。
【００９８】
例えば、図形１７０と図形１８０との大きさは等しい。つまり、表示部１０５は、撮像部に設定可能な絞りの値の範囲と、撮像部に設定可能なシャッタースピードの値の範囲とを同一のスケールで表示する。
【００９９】
表示部１０５は、第１の表示形態で図形１７１を表示し、第１の表示形態と異なる第２の表示形態で図形１８１を表示してもよい。例えば、図形１７１と図形１８１とが異なる色で表示されてもよい。図形１７１と図形１８１とが異なる明るさで表示されてもよい。図形１７１の模様と図形１８１の模様とが異なっていてもよい。
【０１００】
表示部１０５は、第１の画像データに基づく画像１４１を画像領域１４０に表示する。表示部１０５は、第２の画像データに基づく画像１４２を画像領域１４０に表示してもよい。
【０１０１】
シャッタースピードの設定値に連動して、露出が適正になるように絞りの値が設定されるシャッタースピード優先モードが撮像部に設定されてもよい。シャッタースピード優先モードが撮像部に設定された場合における撮像設定装置１１の動作は、上記の動作と同様である。シャッタースピード優先モードでは、第１の制御パラメータはシャッタースピードであり、第２の制御パラメータは絞りである。
【０１０２】
（第２の例）
図３に示す撮像設定装置１１を用いて本例を説明する。本例では、記憶部１０３は、第３の値と、第２の制御パラメータの値として推奨される推奨値である第４の値、または第２の値が撮像部に設定される前に撮像部に設定されていた第２の制御パラメータの設定値である第４の値を記憶する。
【０１０３】
本例では、複数のモードのいずれかが撮像部に設定される。撮像部に設定されるモードを切り替えることが可能である。複数のモードは、絞り優先モードとシャッタースピード優先モードとの少なくとも１つと、マニュアルモードとを含む。記憶部１０３は、撮像部のモードがマニュアルモードであるときに、推奨値である第４の値を記憶する。
【０１０４】
絞り優先モードでは、絞りの設定値に連動して、露出が適正になるようにシャッタースピードの値が設定される。絞り優先モードでは、第１の制御パラメータが絞りであり、第２の制御パラメータがシャッタースピードである。シャッタースピード優先モードでは、シャッタースピードの設定値に連動して、露出が適正になるように絞りの値が設定される。シャッタースピード優先モードでは、第１の制御パラメータがシャッタースピードであり、第２の制御パラメータが絞りである。マニュアルモードでは、ユーザの指示に基づいて絞りの値とシャッタースピードの値とが設定される。マニュアルモードでは、第１の制御パラメータが絞りとシャッタースピードとであり、第２の制御パラメータが露出である。
【０１０５】
本例では、生成部１００は、複数の制御パラメータのうち、撮像部に設定されているモードに対応する第１の制御パラメータの第１の値を生成する。例えば、絞り優先モードが設定された場合、生成部１００は、絞りの第１の値を生成する。また、シャッタースピード優先モードが設定された場合、生成部１００は、シャッタースピードの第１の値を生成する。また、マニュアルモードが設定された場合、生成部１００は、絞りの第１の値とシャッタースピードの第１の値とを生成する。このように、生成部１００は、撮像部に設定されているモードに応じて、生成する第１の制御パラメータの値を切り替える。
【０１０６】
本例では、表示部１０５は、第１の差分情報を第１の領域に図示し、第４の値が推奨値である場合に、第１の表示形態で表示された、第１の領域と異なる第２の領域に第２の差分情報を図示する。また、表示部１０５は、第４の値が設定値である場合に、第１の表示形態と異なる第２の表示形態で表示された第２の領域に第２の差分情報を図示する。また、表示部１０５は、第１の画像データに基づく画像を表示する。
【０１０７】
あるいは、本例では、表示部１０５は、第１の差分情報を図示し、第４の値が推奨値である場合に第１の表示形態で第２の差分情報を図示する。また、表示部１０５は、第４の値が設定値である場合に、第１の表示形態と異なる第２の表示形態で第２の差分情報を図示する。また、表示部１０５は、第１の画像データに基づく画像を表示する。
【０１０８】
絞り優先モードおよびシャッタースピード優先モードでは、撮像装置２０は、撮像部によって生成された画像データから環境光を判別し、その環境光に対応する露出の状態を判別する。また、撮像装置２０は、露出が適正になるように、すなわち露出の値が標準露出値になるように、第２の制御パラメータの設定値を決定する。適正な露出の状態は、撮影シーン毎に異なっていてもよい。例えば人物ポートレートの撮影シーンであれば、適正露出を明るめにするなどが考えられる。これらのモードでは、露出補正によって露出を変更することが可能である。露出補正では、撮像装置２０は、露出に対する、ユーザからの変更の指示を受け付ける。撮像装置２０は、この指示に基づいて補正後の露出の値を決定し、決定された露出の値を撮像部に設定する。これによって、露出の状態が変更される。
【０１０９】
本例では、マニュアルモードが撮像部に設定される。マニュアルモードでは、露出の状態に関わらず、絞りの値とシャッタースピードの値とを任意に設定することが可能である。マニュアルモードでは、露出の値が標準露出値と一致するとは限らない。本例では、露出の値が絞りの設定値とシャッタースピードの設定値とに連動する。つまり、本例では、第２の制御パラメータは、露出である。
【０１１０】
マニュアルモードでは、第１の制御パラメータの第１の値は絞りの設定値とシャッタースピードの設定値とである。第２の制御パラメータの第２の値は露出の設定値である。第１の制御パラメータの第３の値は、第１の値が撮像部に設定される前に撮像部に設定されていた絞りの設定値とシャッタースピードの設定値とである。第２の制御パラメータの第４の値は、露出の推奨値である、または第２の値が撮像部に設定される前に撮像部に設定されていた露出の設定値である。
【０１１１】
例えば、露出の推奨値は、標準露出値である。露出の値が標準露出値に近づくように絞りまたはシャッタースピードの値を設定することによって、露出が適正になる。したがって、標準露出値が、露出の設定値として推奨される。
【０１１２】
次に、図１０を参照して、撮像設定装置１１の動作を説明する。図１０は、制御パラメータの設定に関する撮像設定装置１１の動作の手順を示している。
【０１１３】
マニュアルモードでは、絞りの値とシャッタースピードの値とを同時に設定することが可能である。これは、絞りの値とシャッタースピードの値とを時分割で設定することと同等である。このため、本例では、シャッタースピードの値が固定されている状態で絞りの値が変更される場合の動作を説明する。また、本例では、露出の第４の値が推奨値である場合の動作を説明する。
【０１１４】
制御パラメータの設定に関する動作が開始されると、入力部１０２は、第１の制御パラメータである絞りの設定値（第１の値）が撮像部に設定される前に撮像部に設定されていた絞りの設定値（第３の値）を入力する（ステップＳ３００）。
【０１１５】
絞りの設定値（第３の値）が入力された後、記憶部１０３は、入力部１０２によって入力された絞りの設定値（第３の値）を絞りの基準値（第３の値）として記憶する（ステップＳ３０５）。また、記憶部１０３は、標準露出値を露出の推奨値（第４の値）として予め記憶している。例えば、標準露出値はＥＶ１４である。絞りの基準値（第３の値）と露出の推奨値（第４の値）とは、互いに関連付けられて記憶されていてもよい。
【０１１６】
絞りの基準値（第３の値）が記憶された後、生成部１００は、絞りの設定値（第１の値）を生成する（ステップＳ３１０）。ステップＳ３１０は図２のステップＳ１００に対応する。
【０１１７】
絞りの設定値（第１の値）が生成された後、出力部１０１は、生成部１００によって生成された絞りの設定値（第１の値）を撮像装置２０に出力する（ステップＳ３１５）。ステップＳ３１５は図２のステップＳ１０５に対応する。
【０１１８】
絞りの設定値（第１の値）が出力された後、入力部１０２は、撮像部に設定された絞りの設定値（第１の値）と、その絞りの設定値（第１の値）に連動して変化する露出の設定値（第２の値）とを撮像装置２０から入力する（ステップＳ３２０）。ステップＳ３２０は図２のステップＳ１１０に対応する。絞りの設定値（第１の値）が撮像装置２０から入力される代わりに、ステップＳ３１０で生成された絞りの設定値（第１の値）が記憶部１０３に記憶されてもよい。絞りの設定値（第１の値）が撮像装置２０から入力されることによって、実際に撮像装置２０に設定された値に基づいて処理が行われる。
【０１１９】
設定値が入力された後、入力部１０２は、絞りの設定値（第１の値）と露出の設定値（第２の値）とが撮像部に設定されているときに撮像部によって生成された第１の画像データを撮像装置２０から入力する（ステップＳ３２５）。例えば、ステップＳ３２５では、入力部１０２は、動画または静止画を構成する第１の画像データを撮像装置２０から入力する。ステップＳ３２５は図２のステップＳ１１５に対応する。
【０１２０】
第１の画像データが入力された後、算出部１０４は、撮像装置２０から入力された絞りの設定値（第１の値）と、記憶部１０３に記憶されている絞りの基準値（第３の値）との第１の差分を算出する。また、算出部１０４は、撮像装置２０から入力された露出の設定値（第２の値）と、記憶部１０３に記憶されている露出の推奨値（第４の値）との第２の差分を算出する（ステップＳ３３０）。ステップＳ３３０は図２のステップＳ１２０に対応する。
【０１２１】
第１の差分と第２の差分とが算出された後、表示部１０５は、第１の差分を示す第１の差分情報と、第２の差分を示す第２の差分情報とを図示する（ステップＳ３３５）。ステップＳ３３５は図２のステップＳ１２５に対応する。
【０１２２】
第１の差分情報と第２の差分情報とが図示された後、表示部１０５は、入力部１０２によって入力された第１の画像データに基づく画像を表示する（ステップＳ３４０）。例えば、ステップＳ３４０では、表示部１０５は、第１の画像データに基づく動画または静止画を表示する。ステップＳ３４０は図２のステップＳ１３０に対応する。
【０１２３】
ステップＳ３００では、入力部１０２は、絞りの設定値（第１の値）が撮像部に設定される前に撮像装置２０に設定されていた露出の設定値（第４の値）を撮像装置２０から入力してもよい。ステップＳ３０５では、記憶部１０３は、絞りの設定値（第１の値）が撮像部に設定される前に撮像装置２０に設定されていた露出の設定値（第４の値）を記憶してもよい。
【０１２４】
ステップＳ３１０からステップＳ３４０の処理が繰り返し行われてもよい。つまり、絞りの設定値が繰り返し更新され、それに応じて画像が更新されてもよい。また、ステップＳ３１０の処理が行われる前などのタイミングで図４のステップＳ２１０とステップＳ２１５との処理が行われてもよい。
【０１２５】
ステップＳ３００とステップＳ３０５との処理は、任意である。つまり、ステップＳ３００とステップＳ３０５との処理が行われなくてもよい。ステップＳ３００とステップＳ３０５との処理が行われる代わりに、ユーザが絞りの設定値（第３の値）を知り、絞りの設定値（第３の値）を撮像設定装置１１に入力してもよい。
【０１２６】
ステップＳ３２５の処理が行われた後、ステップＳ３２０の処理が行われてもよい。また、ステップＳ３４０の処理が行われた後、ステップＳ３３５の処理が行われてもよい。また、ステップＳ３３０の処理が行われる前にステップＳ３４０の処理が行われてもよい。
【０１２７】
図１１は、表示部１０５の画面の例を示している。表示部１０５は、領域１２０と、領域１３０と、領域１９０と、画像領域１４０とを表示する。第１の制御パラメータの第１の差分情報が領域１２０と領域１３０とに表示される。具体的には、絞りの第１の差分情報が領域１２０に表示される。また、シャッタースピードの第１の差分情報が領域１３０に表示される。第２の制御パラメータの第２の差分情報が領域１９０に表示される。具体的には、露出の第２の差分情報が領域１９０に表示される。撮像装置２０から入力された画像データに基づく画像が画像領域１４０に表示される。
【０１２８】
領域１２０と、領域１３０と、領域１９０との形状は、縦方向に細長い長方形である。領域１２０と、領域１３０と、領域１９０とは、画像領域１４０の左側に配置されている。領域１２０は、画像領域１４０に隣接している。領域１３０は、領域１２０に隣接している。領域１９０は、領域１３０に隣接している。領域１２０と領域１３０とのいずれかと領域１９０とが隣接していることが望ましい。
【０１２９】
表示部１０５は、絞りの第１の差分情報を示す図形である矢印１２１と、絞りの設定値を示す図形である円１２２とを領域１２０に表示する。領域１２０については、既に説明したので、説明を省略する。
【０１３０】
表示部１０５は、シャッタースピードの第１の差分情報を示す図形である矢印と、シャッタースピードの設定値を示す図形である円１３２とを領域１３０に表示する。本例では、シャッタースピードの値が固定されているため、矢印は領域１３０に表示されていない。領域１３０については、既に説明したので、説明を省略する。
【０１３１】
表示部１０５は、露出の第２の差分情報を示す図形である矢印１９１と、露出の設定値を示す図形である円１９２とを領域１９０に表示する。つまり、表示部１０５は、矢印１９１によって第２の差分情報を表示する。円１９２は矢印１９１の頭の位置に表示される。
【０１３２】
領域１９０の範囲は、撮像部に設定可能な露出の値の範囲に対応する。領域１９０において、より上側の位置が、露出がより大きくなる露出の値に対応する。領域１９０の上端は、撮像部に設定可能な露出の値の最大値に対応する。また、領域１９０において、より下側の位置が、露出がより小さくなる露出の値に対応する。領域１９０の下端は、撮像部に設定可能な露出の値の最小値に対応する。入力部１０２は、撮像部に設定可能な露出の値の最大値と最小値とを撮像装置２０から入力してもよい。また、記憶部１０３は、撮像部に設定可能な露出の値の最大値と最小値とを記憶してもよい。
【０１３３】
矢印１９１の頭の位置は、露出の設定値（第２の値）に対応する。矢印１９１の尾の位置は、露出の基準値（第４の値）に対応する。例えば、絞りの設定値（第１の値）が撮像部に設定される前、円１９２は矢印１９１の尾の位置に表示され、矢印１９１は表示されていない。絞りの設定値（第１の値）が撮像部に設定される前の円１９２が破線で示されている。矢印１９１の長さは、露出の設定値（第２の値）と露出の基準値（第４の値）との差分の大きさを示している。表示部１０５は、円１９２によって、露出の設定値（第２の値）または露出の基準値（第４の値）を図示する。
【０１３４】
ユーザが円１２２を移動させた後、入力部１０２は、露出の設定値（第２の値）を撮像装置２０から入力する。表示部１０５は、領域１９０において露出の設定値（第２の値）に対応する位置に円１９２を表示する。これによって、円１９２が移動する。また、表示部１０５は、矢印１９１を表示する。
【０１３５】
例えば、領域１２０と、領域１３０と、領域１９０との長さは等しい。つまり、表示部１０５は、撮像部に設定可能な絞りの値の範囲と、撮像部に設定可能なシャッタースピードの値の範囲と、撮像部に設定可能な露出の値の範囲とを同一のスケールで表示する。
【０１３６】
表示部１０５は、第１の表示形態で矢印１２１を表示し、第１の表示形態と異なる第２の表示形態で矢印１９１を表示してもよい。例えば、矢印１２１と矢印１９１とが異なる色で表示されてもよい。矢印１２１と矢印１９１とが異なる明るさで表示されてもよい。矢印１２１の模様と矢印１９１の模様とが異なっていてもよい。第１の差分情報を示す図形の種類と、第２の差分情報を示す図形の種類とが異なっていてもよい。これによって、ユーザは、第１の制御パラメータと第２の制御パラメータとを識別しやすい。
【０１３７】
表示部１０５は、第１の表示形態で領域１２０を表示し、第１の表示形態と異なる第２の表示形態で領域１９０を表示してもよい。すなわち、表示部１０５は、第１の表示形態で表示された領域１２０に矢印１２１を表示し、第１の表示形態と異なる第２の表示形態で表示された領域１９０に矢印１９１を表示してもよい。例えば、領域１２０と領域１９０とが異なる色で表示されてもよい。領域１２０と領域１９０とが異なる明るさで表示されてもよい。領域１２０の模様と領域１９０の模様とが異なっていてもよい。
【０１３８】
領域１２０と、領域１３０と、領域１９０との少なくとも２つが１つの領域であってもよい。つまり、表示部１０５は、第１の差分情報と第２の差分情報とを同一の領域に表示してもよい。あるいは、表示部１０５は、複数の第１の制御パラメータに対応する複数の第１の差分情報を同一の領域に表示してもよい。
【０１３９】
ユーザは、矢印１２１が示す第１の差分情報に応じて、矢印１９１が示す第２の差分情報を把握することができる。つまり、ユーザは、絞りの値と露出の値とが互いに連動することを視覚的に把握することができる。さらに、ユーザは、絞りの値の変化量に応じた露出の値の変化量を視覚的に把握することができる。
【０１４０】
また、ユーザは、円１２２が示す絞りの値と、円１９２が示す露出の値とを視覚的に把握することができる。例えば、ユーザは、絞りの設定値（第１の値）に対応する露出の値（第２の値）を視覚的に把握することができる。
【０１４１】
したがって、ユーザは、互いに連動する複数の制御パラメータの関係を視覚的に把握することができる。また、ユーザは、複数の制御パラメータの調整方法を学習することができる。
【０１４２】
本例では、ユーザは、矢印１９１がより短くなるように、すなわち露出の値が露出の推奨値に近づくように絞りの設定値（第１の値）を設定することによって、露出をより適正にすることができる。
【０１４３】
露出の基準値（第４の値）が露出の推奨値である場合と、露出の基準値（第４の値）が以前の露出の設定値である場合とがある。表示部１０５は、第１の差分情報を領域１２０（第１の領域）に図示する。表示部１０５は、露出の基準値（第４の値）が露出の推奨値である場合に、第１の表示形態で表示された、領域１２０と異なる領域１９０（第２の領域）に第２の差分情報を図示してもよい。また、表示部１０５は、露出の基準値（第４の値）が露出の設定値である場合に、第１の表示形態と異なる第２の表示形態で表示された領域１９０に第２の差分情報を図示してもよい。例えば、これらの２つの場合で領域１９０の色が異なる。これらの２つの場合で領域１９０の明るさが異なっていてもよい。これらの２つの場合で領域１９０の模様が異なっていてもよい。これによって、ユーザは、露出の推奨値と以前の露出の設定値とを識別しやすい。露出の基準値（第４の値）が露出の推奨値と以前の露出の設定値とのどちらであるのかを示すメッセージが表示されてもよい。
【０１４４】
絞り優先モードまたはシャッタースピード優先モードでは、露出は常に標準露出である。このため、絞り優先モードまたはシャッタースピード優先モードでは、露出の値は推奨値である標準露出値と一致している。このとき、露出の設定値と露出の推奨値との差分は０であり、差分は一定である。
【０１４５】
表示部１０５は、露出の基準値（第４の値）が露出の推奨値である場合に第１の表示形態で第２の差分情報を図示してもよい。また、表示部１０５は、露出の基準値（第４の値）が露出の設定値である場合に、第１の表示形態と異なる第２の表示形態で第２の差分情報を図示してもよい。例えば、これらの２つの場合で矢印１９１が異なる色で表示されてもよい。これらの２つの場合で矢印１９１が異なる明るさで表示されてもよい。これらの２つの場合で矢印１９１の模様が異なっていてもよい。
【０１４６】
表示部１０５は、絞りの設定値（第１の値）が撮像部に設定されているときに撮像部によって生成された第１の画像データに基づく画像１４１を画像領域１４０に表示する。表示部１０５は、絞りの基準値（第３の値）が撮像部に設定されているときに撮像部によって生成された第２の画像データに基づく画像１４１を画像領域１４０に表示してもよい。
【０１４７】
ユーザは、絞りの設定値（第１の値）が反映された画像１４１の状態を確認することができる。つまり、ユーザは、絞りの設定値が変更された後の画像１４１の状態を確認することができる。
【０１４８】
（第３の例）
図３に示す撮像設定装置１１を用いて本例を説明する。本例では、入力部１０２は、第１の制御パラメータの値として推奨される推奨値である第３の値を撮像装置２０から入力する。記憶部１０３は、入力部１０２によって入力された第３の値と、第４の値とを記憶する。
【０１４９】
本例では、複数のモードのいずれかが撮像部に設定される。撮像部に設定されるモードを切り替えることが可能である。本例では、絞りの設定値に連動して、露出が適正になるようにシャッタースピードの値が設定される絞り優先モードが撮像部に設定される。本例では、第１の制御パラメータと第２の制御パラメータとは、露出に関するパラメータである。絞り優先モードでは、第１の制御パラメータは絞りであり、第２の制御パラメータはシャッタースピードである。
【０１５０】
本例では、第１の制御パラメータの第１の値は絞りの設定値である。第２の制御パラメータの第２の値はシャッタースピードの設定値である。第１の制御パラメータの第３の値は、第１の値が撮像部に設定される前に撮像装置２０によって決定された絞りの値である。撮像装置２０は、撮像部によって生成された画像データから環境光を判別し、その環境光に対応する露出の状態を判別する。また、撮像装置２０は、露出が適正になるように、絞りの値を決定する。絞りの設定値を、この決定された絞りの値に設定することによって、露出が適正になる。したがって、この決定された絞りの値が、絞りの設定値として推奨される。適正な露出の状態は、撮影シーン毎に異なっていてもよい。第２の制御パラメータの第４の値は、第２の値が撮像部に設定される前に撮像部に設定されていたシャッタースピードの設定値である。
【０１５１】
図１２を参照して、撮像設定装置１１の動作を説明する。図１２は、制御パラメータの設定に関する撮像設定装置１１の動作の手順を示している。
【０１５２】
制御パラメータの設定に関する動作が開始されると、入力部１０２は、第１の制御パラメータである絞りの設定値（第１の値）が撮像部に設定される前に撮像装置２０によって決定された絞りの推奨値（第３の値）を入力する。また、入力部１０２は、第２の制御パラメータであるシャッタースピードの設定値（第２の値）が撮像部に設定される前に撮像部に設定されていたシャッタースピードの設定値（第４の値）を撮像装置２０から入力する（ステップＳ４００）。
【０１５３】
絞りの推奨値（第３の値）とシャッタースピードの設定値（第４の値）とが入力された後、記憶部１０３は、入力部１０２によって入力された絞りの推奨値（第３の値）とシャッタースピードの設定値（第４の値）とを基準値として記憶する（ステップＳ４０５）。絞りの推奨値（第３の値）とシャッタースピードの基準値（第４の値）とは、互いに関連付けられて記憶されていてもよい。
【０１５４】
基準値が記憶された後、ステップＳ４１０からステップＳ４４０の処理が行われる。ステップＳ４１０からステップＳ４４０の処理は、図４のステップＳ２２０からステップＳ２５０の処理と同様である。
【０１５５】
ステップＳ４１０からステップＳ４４０の処理が繰り返し行われてもよい。つまり、絞りの設定値が繰り返し更新され、それに応じて画像が更新されてもよい。また、ステップＳ４１０の処理が行われる前などのタイミングで図４のステップＳ２１０とステップＳ２１５との処理が行われてもよい。
【０１５６】
ステップＳ４００とステップＳ４０５との処理は、任意である。つまり、ステップＳ４００とステップＳ４０５との処理が行われなくてもよい。ステップＳ４００とステップＳ４０５との処理が行われる代わりに、ユーザが絞りの推奨値（第３の値）とシャッタースピードの設定値（第４の値）とを知り、それらを撮像設定装置１１に入力してもよい。
【０１５７】
ステップＳ４２５の処理が行われた後、ステップＳ４２０の処理が行われてもよい。また、ステップＳ４４０の処理が行われた後、ステップＳ４３５の処理が行われてもよい。また、ステップＳ４３０の処理が行われる前にステップＳ４４０の処理が行われてもよい。
【０１５８】
図１３は、表示部１０５の画面の例を示している。表示部１０５は、領域１２０と、領域１３０と、画像領域１４０とを表示する。第１の制御パラメータの第１の差分情報が領域１２０に表示される。具体的には、絞りの第１の差分情報が領域１２０に表示される。第２の制御パラメータの第２の差分情報が領域１３０に表示される。具体的には、シャッタースピードの第２の差分情報が領域１３０に表示される。撮像装置２０から入力された画像データに基づく画像が画像領域１４０に表示される。
【０１５９】
表示部１０５は、絞りの第１の差分情報を示す図形である矢印１２１と、絞りの設定値を示す図形である円１２２とを領域１２０に表示する。領域１２０については、既に説明したので、説明を省略する。
【０１６０】
表示部１０５は、シャッタースピードの第２の差分情報を示す図形である矢印１３１と、シャッタースピードの設定値を示す図形である円１３２とを領域１３０に表示する。領域１３０については、既に説明したので、説明を省略する。
【０１６１】
表示部１０５は、絞りの設定値（第１の値）とシャッタースピードの設定値（第２の値）とが撮像部に設定されているときに撮像部によって生成された第１の画像データに基づく画像１４１を画像領域１４０に表示する。表示部１０５は、シャッタースピードの基準値（第４の値）が撮像部に設定されているときに撮像部によって生成された第２の画像データに基づく画像１４１を画像領域１４０に表示してもよい。
【０１６２】
ユーザは、互いに連動する複数の制御パラメータの関係を視覚的に把握することができる。また、ユーザは、複数の制御パラメータの調整方法を学習することができる。さらに、ユーザは、絞りの設定値（第１の値）とシャッタースピードの設定値（第２の値）とが反映された画像１４１の状態を確認することができる。
【０１６３】
本例では、ユーザは、矢印１２１がより短くなるように、すなわち絞りの設定値が絞りの推奨値に近づくように絞りの設定値（第１の値）を設定することによって、露出をより適正にすることができる。
【０１６４】
前述した第２の例では、第１の制御パラメータに連動する第２の制御パラメータの推奨値が表示される。一方、本例では、ユーザが直接変更する第１の制御パラメータの推奨値が表示される。第２の制御パラメータの値が推奨値に近づくように第１の制御パラメータの値を設定する場合よりも、第１の制御パラメータの値が推奨値に近づくように第１の制御パラメータの値を設定する場合のほうが、操作が分かりやすい。したがって、制御パラメータの調整のための操作がより容易になる。
【０１６５】
（第４の例）
図３に示す撮像設定装置１１を用いて本例を説明する。本例では、表示部１０５は、第１の差分情報が表示される位置と、第２の差分情報が表示される位置との相対的な関係を固定する。
【０１６６】
本例では、複数のモードのいずれかが撮像部に設定される。撮像部に設定されるモードを切り替えることが可能である。表示部１０５は、第１の差分情報が表示される位置と、第２の差分情報が表示される位置との相対的な関係を複数のモード間で固定する。
【０１６７】
本例では、表示部１０５は、第１の差分情報または第２の差分情報が表示される位置と、第１の画像データに基づく画像が表示される位置との相対的な関係を固定する。表示部１０５は、第１の差分情報または第２の差分情報が表示される位置と、第１の画像データに基づく画像が表示される位置との相対的な関係を複数のモード間で固定する。
【０１６８】
本例では、表示部１０５は、第１の差分情報を第１の領域に図示し、第２の差分情報を、第１の領域と表示形態が異なる第２の領域に図示する。また、表示部１０５は、第１の画像データに基づく画像を表示する。さらに、表示部１０５は、第１の領域が第２の領域よりも相対的に目立つように、第１の領域と第２の領域とを表示する。
【０１６９】
あるいは、本例では、表示部１０５は、第１の差分情報を第１の表示形態で図示し、第２の差分情報を、第１の表示形態と異なる第２の表示形態で図示する。また、表示部１０５は、第１の画像データに基づく画像を表示する。さらに、表示部１０５は、第１の差分情報が第２の差分情報よりも相対的に目立つように、第１の差分情報を第１の表示形態で図示し、第２の差分情報を第２の表示形態で図示する。
【０１７０】
本例では、入力部１０２は、複数の制御パラメータのうち、第１の制御パラメータと異なる第３の制御パラメータの第５の値を撮像装置２０から入力する。記憶部１０３は、第３の制御パラメータの第６の値を記憶する。算出部１０４は、第５の値と第６の値との第３の差分を算出する。表示部１０５は、第３の差分が０である場合、第１の差分情報と、第２の差分情報と、第５の値とのうち、第１の差分情報と第２の差分情報とのみを図示する。また、表示部１０５は、第１の画像データに基づく画像を表示する。つまり、表示部１０５は、第３の差分に基づく第３の差分情報と第５の値とを非表示とする。言い換えると、表示部１０５は、第３の差分に係る情報を非表示とする。第３の制御パラメータは、撮像部に設定されているモードに対応する。
【０１７１】
本例では、シャッタースピードの設定値に連動して、露出が適正になるように絞りの値が設定されるシャッタースピード優先モードが撮像部に設定される。本例では、第１の制御パラメータと第２の制御パラメータと第３の制御パラメータとは、露出に関するパラメータである。シャッタースピード優先モードでは、第１の制御パラメータはシャッタースピードであり、第２の制御パラメータは絞りであり、第３の制御パラメータは露出である。
【０１７２】
本例では、第１の制御パラメータの第１の値はシャッタースピードの設定値である。第２の制御パラメータの第２の値は絞りの設定値である。第１の制御パラメータの第３の値は、第１の値が撮像部に設定される前に撮像部に設定されていたシャッタースピードの設定値である。第２の制御パラメータの第４の値は、第２の値が撮像部に設定される前に撮像部に設定されていた絞りの設定値である。第３の制御パラメータの第５の値は、第１の値に対応する露出の設定値である。
【０１７３】
シャッタースピード優先モードでは、露出が適正になるように、すなわち露出の値が標準露出値になるように、絞りの設定値が決定される。このため、第５の値は標準露出値であり、環境光が一定である場合、第５の値は一定である。また、本例では、第６の値は標準露出値である。この場合、第３の差分は０であり、第３の差分は一定である。つまり、第３の制御パラメータは、第１の制御パラメータおよび第２の制御パラメータと異なり、第３の差分が一定の制御パラメータである。
【０１７４】
図１４を参照して、撮像設定装置１１の動作を説明する。図１４は、制御パラメータの設定に関する撮像設定装置１１の動作の手順を示している。
【０１７５】
制御パラメータの設定に関する動作が開始されると、入力部１０２は、第１の制御パラメータであるシャッタースピードの設定値（第１の値）が撮像部に設定される前に撮像部に設定されていたシャッタースピードの設定値（第３の値）を入力する。また、入力部１０２は、第２の制御パラメータである絞りの設定値（第２の値）が撮像部に設定される前に撮像部に設定されていた絞りの設定値（第４の値）を撮像装置２０から入力する。また、入力部は、シャッタースピードの設定値（第１の値）と絞りの設定値（第２の値）とに対応する露出の設定値（第６の値）を撮像装置２０から入力する（ステップＳ５００）。シャッタースピード優先モードでは、露出の設定値（第６の値）は標準露出値である。
【０１７６】
設定値が入力された後、記憶部１０３は、入力部１０２によって入力されたシャッタースピードの設定値（第３の値）と絞りの設定値（第４の値）と露出の設定値（第６の値）とを基準値として記憶する（ステップＳ５０５）。シャッタースピードの基準値（第３の値）と絞りの基準値（第４の値）と露出の設定値（第６の値）とは、互いに関連付けられて記憶されていてもよい。
【０１７７】
基準値が記憶された後、ステップＳ５１０とステップＳ５１５との処理が行われる。ステップＳ５１０とステップＳ５１５との処理は、絞りの設定値がシャッタースピードの設定値に変更される点を除いて、図４のステップＳ２１０とステップＳ２１５との処理と同様である。
【０１７８】
シャッタースピードの設定値（第１の値）が出力された後、入力部１０２は、撮像部に設定されたシャッタースピードの設定値（第１の値）と、そのシャッタースピードの設定値（第１の値）に連動して変化する絞りの設定値（第２の値）と、それらの設定値に対応する露出の設定値（第５の値）とを撮像装置２０から入力する（ステップＳ５２０）。シャッタースピード優先モードでは、露出の設定値（第５の値）は標準露出値である。ステップＳ５２０は図２のステップＳ１１０に対応する。シャッタースピードの設定値（第１の値）が撮像装置２０から入力される代わりに、ステップＳ５１０で生成されたシャッタースピードの設定値（第１の値）が記憶部１０３に記憶されてもよい。シャッタースピードの設定値（第１の値）が撮像装置２０から入力されることによって、実際に撮像装置２０に設定された値に基づいて処理が行われる。
【０１７９】
設定値が入力された後、入力部１０２は、シャッタースピードの設定値（第１の値）と絞りの設定値（第２の値）とが撮像部に設定されているときに撮像部によって生成された第１の画像データを撮像装置２０から入力する（ステップＳ５２５）。例えば、ステップＳ５２５では、入力部１０２は、動画または静止画を構成する第１の画像データを撮像装置２０から入力する。ステップＳ５２５は図２のステップＳ１１５に対応する。
【０１８０】
第１の画像データが入力された後、算出部１０４は、撮像装置２０から入力されたシャッタースピードの設定値（第１の値）と、記憶部１０３に記憶されているシャッタースピードの基準値（第３の値）との第１の差分を算出する。また、算出部１０４は、撮像装置２０から入力された絞りの設定値（第２の値）と、記憶部１０３に記憶されている絞りの基準値（第４の値）との第２の差分を算出する。また、算出部１０４は、撮像装置２０から入力された露出の設定値（第５の値）と、記憶部１０３に記憶されている露出の基準値（第６の値）との第３の差分を算出する（ステップＳ５３０）。ステップＳ５３０は図２のステップＳ１２０に対応する。
【０１８１】
第１の差分と、第２の差分と、第３の差分とが算出された後、ステップＳ５３５とステップＳ５４０との処理が行われる。ステップＳ５３５とステップＳ５４０との処理は、図４のステップＳ２４５とステップＳ２５０との処理と同様である。前述したように、第３の差分は０であるため、ステップＳ５３５では、表示部１０５は露出の設定値（第５の値）を非表示とする。第５の値と第６の値とは、露出の絶対値ではなく、標準露出値からの差分であってもよい。
【０１８２】
ステップＳ５１０からステップＳ５４０の処理が繰り返し行われてもよい。つまり、シャッタースピードの設定値が繰り返し更新され、それに応じて画像が更新されてもよい。また、ステップＳ５１０の処理が行われる前などのタイミングで図４のステップＳ２１０とステップＳ２１５との処理が行われてもよい。
【０１８３】
ステップＳ５００とステップＳ５０５との処理は、任意である。つまり、ステップＳ５００とステップＳ５０５との処理が行われなくてもよい。ステップＳ５００とステップＳ５０５との処理が行われる代わりに、ユーザがシャッタースピードの設定値（第３の値）と絞りの設定値（第４の値）と露出の設定値（第６の値）とを知り、それらを撮像設定装置１１に入力してもよい。
【０１８４】
ステップＳ５２５の処理が行われた後、ステップＳ５２０の処理が行われてもよい。また、ステップＳ５４０の処理が行われた後、ステップＳ５３５の処理が行われてもよい。また、ステップＳ５３０の処理が行われる前にステップＳ５４０の処理が行われてもよい。
【０１８５】
図１５は、表示部１０５の画面の例を示している。表示部１０５は、領域１２０と、領域１３０と、画像領域１４０とを表示する。第１の制御パラメータの第１の差分情報が領域１３０に表示される。具体的には、シャッタースピードの第１の差分情報が領域１３０に表示される。第２の制御パラメータの第２の差分情報が領域１２０に表示される。具体的には、絞りの第２の差分情報が領域１２０に表示される。撮像装置２０から入力された画像データに基づく画像が画像領域１４０に表示される。
【０１８６】
表示部１０５は、シャッタースピードの第１の差分情報を示す図形である矢印１３１と、シャッタースピードの設定値を示す図形である円１３２とを領域１３０に表示する。領域１３０については、既に説明したので、説明を省略する。
【０１８７】
表示部１０５は、絞りの第２の差分情報を示す図形である矢印１２１と、絞りの設定値を示す図形である円１２２とを領域１２０に表示する。領域１２０については、既に説明したので、説明を省略する。
【０１８８】
円１３２は移動可能である。ユーザは、操作部１０６を操作することによって、円１３２を移動させる。これによって、操作部１０６は、シャッタースピードの設定値（第１の値）の指示をユーザから受け付ける。円１３２の移動に応じて矢印１３１が表示される。操作部１０６は、円１３２の位置の情報を生成部１００に出力する。生成部１００は、円１３２の位置に対応するシャッタースピードの設定値（第１の値）を生成する。操作部１０６は、第１の制御パラメータと第２の制御パラメータとのうち第１の制御パラメータに関する円１３２の移動に係る指示のみを受け付ける。操作部１０６は、第２の制御パラメータに関する円１２２の移動に係る指示を受け付けない。
【０１８９】
ユーザが円１３２を移動させた後、入力部１０２は、絞りの設定値（第２の値）を撮像装置２０から入力する。表示部１０５は、領域１２０において絞りの設定値（第２の値）に対応する位置に円１２２を表示する。これによって、円１２２が移動する。また、表示部１０５は、矢印１２１を表示する。
【０１９０】
表示部１０５は、シャッタースピードの設定値（第１の値）と絞りの設定値（第２の値）とが撮像部に設定されているときに撮像部によって生成された第１の画像データに基づく画像１４１を画像領域１４０に表示する。表示部１０５は、シャッタースピードの基準値（第３の値）と絞りの基準値（第４の値）とが撮像部に設定されているときに撮像部によって生成された第２の画像データに基づく画像１４２を画像領域１４０に表示してもよい。
【０１９１】
ユーザは、互いに連動する複数の制御パラメータの関係を視覚的に把握することができる。また、ユーザは、複数の制御パラメータの調整方法を学習することができる。さらに、ユーザは、シャッタースピードの設定値（第１の値）と絞りの設定値（第２の値）とが反映された画像１４１の状態を確認することができる。
【０１９２】
本例では、表示部１０５は、第１の制御パラメータの第１の差分情報が表示される位置と、第２の制御パラメータの第２の差分情報が表示される位置との相対的な関係を固定する。例えば、表示部１０５は、第１の差分情報が表示される領域を、第２の差分情報が表示される領域よりも常に右に表示する。表示部１０５は、モードによらず、この相対的な関係を固定する。第１の差分情報が表示される位置と、第２の差分情報が表示される位置との相対的な関係は複数のモード間で一定である。
【０１９３】
具体的には、シャッタースピード優先モードでは、表示部１０５は、領域１３０を表示し、第１の差分情報を領域１３０に図示する。また、表示部１０５は、領域１２０が領域１３０に隣接するように領域１２０を表示し、第２の差分情報を領域１２０に図示する。図１５では、表示部１０５は、領域１２０が領域１３０に隣接するように領域１３０の左に領域１２０を表示し、第２の差分情報を領域１２０に図示する。
【０１９４】
また、絞り優先モードでは、表示部１０５は、図１５における領域１３０の位置に領域１２０を表示し、第１の差分情報を領域１２０に図示する。また、表示部１０５は、領域１３０が領域１２０に隣接するように領域１３０を表示し、第２の差分情報を領域１３０に図示する。すなわち、表示部１０５は、領域１３０が領域１２０に隣接するように領域１２０の左に領域１３０を表示し、第２の差分情報を領域１３０に図示する。
【０１９５】
本例では、表示部１０５は、第１の制御パラメータの第１の差分情報が表示される位置と、画像が表示される位置との相対的な関係を固定する。例えば、表示部１０５は、第１の差分情報が表示される領域を、画像が表示される領域よりも常に左に表示する。表示部１０５は、モードによらず、この相対的な関係を固定する。第１の差分情報が表示される位置と、画像が表示される位置との相対的な関係は複数のモード間で一定である。
【０１９６】
具体的には、シャッタースピード優先モードでは、表示部１０５は、領域１３０を表示し、第１の差分情報を領域１３０に図示する。また、表示部１０５は、画像領域１４０が領域１３０に隣接するように画像領域１４０を表示し、画像１４１を画像領域１４０に表示する。図１５では、表示部１０５は、画像領域１４０が領域１３０に隣接するように領域１３０の右に画像領域１４０を表示し、画像１４１を画像領域１４０に表示する。
【０１９７】
また、絞り優先モードでは、表示部１０５は、図１５における領域１３０の位置に領域１２０を表示し、第１の差分情報を領域１２０に図示する。また、表示部１０５は、画像領域１４０が領域１２０に隣接するように画像領域１４０を表示し、画像１４１を画像領域１４０に表示する。すなわち、表示部１０５は、画像領域１４０が領域１２０に隣接するように領域１２０の右に画像領域１４０を表示し、画像１４１を画像領域１４０に表示する。
【０１９８】
第１の制御パラメータの第１の差分情報は、第２の制御パラメータの第２の差分情報の常に右に表示される。モードによらず、この位置関係が固定されるので、ユーザは、第１の差分情報と第２の差分情報とを識別しやすい。さらに、第１の差分情報は、画像１４１の常に左に表示される。モードによらず、この位置関係が固定されるので、ユーザは、第１の差分情報を識別しやすい。
【０１９９】
本例では、表示部１０５は、第１の差分情報が表示される領域１３０が、第２の差分情報が表示される領域１２０よりも相対的に目立つように、領域１２０と領域１３０とを表示する。例えば、表示部１０５は、領域１２０を、領域１３０よりも目立たない色で表示する。
【０２００】
表示部１０５は、第１の差分情報が第２の差分情報よりも相対的に目立つように、第１の差分情報を第１の表示形態で図示し、第２の差分情報を、第１の表示形態と異なる第２の表示形態で図示してもよい。例えば、表示部１０５は、第２の差分情報を示す円１２２を、第１の差分情報を示す円１３２よりも目立たない色で表示してもよい。
【０２０１】
第１の差分情報が表示される領域１３０、または第１の差分情報を示す円１３２がより目立つことによって、ユーザは、設定値を指定する対象の第１の制御パラメータを識別しやすい。
【０２０２】
本例では、表示部１０５は、露出の第５の値と露出の第６の値との第３の差分が０であるため、露出の第５の値を非表示とする。つまり、表示部１０５は、第１の制御パラメータの第１の値および第３の値と、第２の制御パラメータの第２の値および第４の値と、第３の制御パラメータの第５の値とのうち、第１の制御パラメータの第１の値および第３の値と、第２の制御パラメータの第２の値および第４の値とのみを図示する。
【０２０３】
例えば、マニュアルモードが設定されている場合、図１１に示すように、露出に関する領域１９０が表示され、第２の差分情報が領域１９０に表示される。モードがマニュアルモードからシャッタースピード優先モードに変更された場合、露出に関する第３の差分が０となる。このため、図１５に示すように、領域１９０は表示されない。
【０２０４】
上記のように、複数の制御パラメータのうち、露出を決定する主要な第１の制御パラメータに関する情報と、第１の制御パラメータに連動する第２の制御パラメータに関する情報とのみが表示される。このため、ユーザは、第１の制御パラメータに関する情報と、第２の制御パラメータに関する情報とに注目しやすくなる。また、第３の制御パラメータに関する情報が表示されないので、画像１４１をより広い領域に表示することができる。したがって、画像１４１の視認性が向上する。
【０２０５】
（第５の例）
図３に示す撮像設定装置１１を用いて本例を説明する。本例では、入力部１０２は、複数の制御パラメータのうち、第１の制御パラメータと異なる第３の制御パラメータの第５の値を撮像装置２０から入力する。記憶部１０３は、第３の制御パラメータの第６の値を記憶する。算出部１０４は、第５の値と第６の値との第３の差分を算出する。表示部１０５は、第５の値と前記第６の値との第３の差分が０である場合、第５の値を図示する。つまり、表示部１０５は、第３の差分に基づく第３の差分情報を非表示とし、第５の値を図示する。言い換えると、表示部１０５は、第３の差分に係る情報のうち第５の値のみを図示する。
【０２０６】
本例では、複数のモードのいずれかが撮像部に設定される。撮像部に設定されるモードを切り替えることが可能である。第３の制御パラメータは、撮像部に設定されているモードに対応する。
【０２０７】
本例では、複数のモードのいずれかが撮像部に設定される。撮像部に設定されるモードを切り替えることが可能である。複数のモードは、絞り優先モードとシャッタースピード優先モードとの少なくとも１つと、マニュアルモードとを含む。
【０２０８】
絞り優先モードでは、絞りの設定値に連動して、露出が適正になるようにシャッタースピードの値が設定される。絞り優先モードでは、第１の制御パラメータが絞りであり、第２の制御パラメータがシャッタースピードである。シャッタースピード優先モードでは、シャッタースピードの設定値に連動して、露出が適正になるように絞りの値が設定される。シャッタースピード優先モードでは、第１の制御パラメータがシャッタースピードであり、第２の制御パラメータが絞りである。マニュアルモードでは、ユーザの指示に基づいて絞りの値とシャッタースピードの値とが設定される。マニュアルモードでは、第１の制御パラメータが絞りとシャッタースピードとであり、第２の制御パラメータが露出である。
【０２０９】
本例では、表示部１０５は、複数の制御パラメータの第１の差分情報または第２の差分情報が表示される位置の相対的な関係を複数の制御パラメータ間で固定する。
【０２１０】
本例では、表示部１０５は、第１の差分情報を第１の領域に図示し、第２の差分情報を、第１の領域と表示形態が異なる第２の領域に図示する。また、表示部１０５は、第１の画像データに基づく画像を表示する。さらに、表示部１０５は第１の領域が第２の領域よりも相対的に目立つように、第１の領域と第２の領域とを表示する。
【０２１１】
あるいは、本例では、表示部１０５は、第１の差分情報を第１の表示形態で図示し、第２の差分情報を、第１の表示形態と異なる第２の表示形態で図示する。また、表示部１０５は、第１の画像データに基づく画像を表示する。さらに、表示部１０５は、第１の差分情報が第２の差分情報よりも相対的に目立つように、第１の差分情報を第１の表示形態で図示し、第２の差分情報を第２の表示形態で図示する。
【０２１２】
本例では、表示部１０５は、第１の差分情報と第２の差分情報とを識別する情報を表示する。
【０２１３】
本例では、シャッタースピードの設定値に連動して、露出が適正になるように絞りの値が設定されるシャッタースピード優先モードが撮像部に設定される。本例では、第１の制御パラメータと第２の制御パラメータと第３の制御パラメータとは、露出に関するパラメータである。シャッタースピード優先モードでは、第１の制御パラメータはシャッタースピードであり、第２の制御パラメータは絞りであり、第３の制御パラメータは露出である。
【０２１４】
本例では、第１の制御パラメータの第１の値はシャッタースピードの設定値である。第２の制御パラメータの第２の値は絞りの設定値である。第１の制御パラメータの第３の値は、第１の値が撮像部に設定される前に撮像部に設定されていたシャッタースピードの設定値である。第２の制御パラメータの第４の値は、第２の値が撮像部に設定される前に撮像部に設定されていた絞りの設定値である。第３の制御パラメータの第５の値は、第１の値に対応する露出の設定値である。
【０２１５】
シャッタースピード優先モードでは、露出が適正になるように、すなわち露出の値が標準露出値になるように、絞りの設定値が決定される。このため、第５の値は標準露出値である。環境光が一定である場合、第５の値は一定である。また、本例では、第６の値は標準露出値である。この場合、第３の差分は０であり、第３の差分は一定である。つまり、第３の制御パラメータは、第１の制御パラメータおよび第２の制御パラメータと異なり、第３の差分が一定の制御パラメータである。
【０２１６】
図１６を参照して、撮像設定装置１１の動作を説明する。図１６は、制御パラメータの設定に関する撮像設定装置１１の動作の手順を示している。
【０２１７】
制御パラメータの設定に関する動作が開始されると、ステップＳ６００からステップＳ６３０の処理が行われる。ステップＳ６００からステップＳ６３０の処理は、図１４のステップＳ５００からステップＳ５３０の処理と同様である。
【０２１８】
ステップＳ６３０で第１の差分と第２の差分と第３の差分とが算出された後、表示部１０５は、第１の差分を示す第１の差分情報と、第２の差分を示す第２の差分情報と、露出の設定値（第５の値）とを図示する（ステップＳ６３５）。ステップＳ６３５は図２のステップＳ１２５に対応する。前述したように、第３の差分は０であるため、ステップＳ６３５では、表示部１０５は第３の差分を図示せず、露出の設定値（第５の値）を図示する。第５の値と第６の値とは、露出の絶対値ではなく、標準露出値からの差分であってもよい。
【０２１９】
第１の差分情報と、第２の差分情報と、露出の設定値（第５の値）とが図示された後、表示部１０５は、入力部１０２によって入力された第１の画像データに基づく画像を表示する（ステップＳ６４０）。例えば、ステップＳ６４０では、表示部１０５は、第１の画像データに基づく動画または静止画を表示する。ステップＳ６４０は図２のステップＳ１３０に対応する。
【０２２０】
ステップＳ６１０からステップＳ６４０の処理が繰り返し行われてもよい。つまり、シャッタースピードの設定値が繰り返し更新され、それに応じて画像が更新されてもよい。また、ステップＳ６１０の処理が行われる前などのタイミングで図４のステップＳ２１０とステップＳ２１５との処理が行われてもよい。
【０２２１】
ステップＳ６００とステップＳ６０５との処理は、任意である。つまり、ステップＳ６００とステップＳ６０５との処理が行われなくてもよい。ステップＳ６００とステップＳ６０５との処理が行われる代わりに、ユーザがシャッタースピードの設定値（第３の値）と絞りの設定値（第４の値）と露出の設定値（第６の値）とを知り、それらを撮像設定装置１１に入力してもよい。
【０２２２】
ステップＳ６２５の処理が行われた後、ステップＳ６２０の処理が行われてもよい。また、ステップＳ６４０の処理が行われた後、ステップＳ６３５の処理が行われてもよい。また、ステップＳ６３０の処理が行われる前にステップＳ６４０の処理が行われてもよい。
【０２２３】
図１７は、表示部１０５の画面の例を示している。表示部１０５は、領域１２０と、領域１３０と、領域１９０と、画像領域１４０とを表示する。第１の制御パラメータの第１の差分情報が領域１３０に表示される。具体的には、シャッタースピードの第１の差分情報が領域１３０に表示される。第２の制御パラメータの第２の差分情報が領域１２０に表示される。具体的には、絞りの第２の差分情報が領域１２０に表示される。第３の制御パラメータの第５の値を示す図形が領域１９０に表示される。具体的には、露出の第５の値を示す図形が領域１９０に表示される。撮像装置２０から入力された画像データに基づく画像が画像領域１４０に表示される。
【０２２４】
表示部１０５は、シャッタースピードの第１の差分情報を示す図形である矢印１３１と、シャッタースピードの設定値を示す図形である円１３２とを領域１３０に表示する。領域１３０については、既に説明したので、説明を省略する。
【０２２５】
表示部１０５は、絞りの第２の差分情報を示す図形である矢印１２１と、絞りの設定値を示す図形である円１２２とを領域１２０に表示する。領域１２０については、既に説明したので、説明を省略する。
【０２２６】
表示部１０５は、露出の設定値（第５の値）を示す図形である円１９２を領域１９０に表示する。前述したように、領域１９０の範囲は、撮像部に設定可能な露出の値の範囲に対応する。円１９２は、領域１９０において、撮像装置２０から入力された露出の設定値（第５の値）に対応する位置に表示される。
【０２２７】
表示部１０５は、シャッタースピードの設定値（第１の値）と絞りの設定値（第２の値）とが撮像部に設定されているときに撮像部によって生成された第１の画像データに基づく画像１４１を画像領域１４０に表示する。表示部１０５は、シャッタースピードの基準値（第３の値）と絞りの基準値（第４の値）とが撮像部に設定されているときに撮像部によって生成された第２の画像データに基づく画像１４２を画像領域１４０に表示してもよい。
【０２２８】
ユーザは、互いに連動する複数の制御パラメータの関係を視覚的に把握することができる。また、ユーザは、複数の制御パラメータの調整方法を学習することができる。さらに、ユーザは、シャッタースピードの設定値（第１の値）と絞りの設定値（第２の値）とが反映された画像１４１の状態を確認することができる。
【０２２９】
第３の差分が０である第３の制御パラメータである露出の値が図示されるので、ユーザは、第３の差分が０である第３の制御パラメータを識別することができる。
【０２３０】
本例では、表示部１０５は、複数の制御パラメータの第１の差分情報または第２の差分情報が表示される位置の相対的な関係をモードによらず複数の制御パラメータ間で固定する。複数の制御パラメータの第１の差分情報または第２の差分情報が表示される位置の相対的な関係は複数のモード間かつ複数の制御パラメータ間で一定である。本例では、複数の制御パラメータは、シャッタースピードと、絞りと、露出とである。シャッタースピードの第１の差分情報または第２の差分情報と、絞りの第１の差分情報または第２の差分情報とが表示される位置の相対的な関係が複数のモード間かつ複数の制御パラメータ間で一定である。
【０２３１】
撮像部に設定されているモードがシャッタースピード優先モードから絞り優先モードに変更される場合、複数の制御パラメータに関する情報が表示される位置の相対的な関係は固定される。図１７に示すように、シャッタースピード優先モードでは、領域１３０に隣接して領域１９０が表示され、領域１９０に隣接して領域１２０が表示される。シャッタースピードに関する領域１３０と、露出に関する領域１９０と、絞りに関する領域１２０との位置の相対的な関係は、モードが絞り優先モードに変更された後も変わらない。つまり、モードが絞り優先モードに変更された後、それぞれの領域が並ぶ順番は、モードがシャッタースピード優先モードであるときの順番と同一である。
【０２３２】
複数の制御パラメータに関する情報が表示される位置の相対的な関係が固定されるため、モードが変更された場合でも、ユーザは複数の制御パラメータを把握しやすい。
【０２３３】
本例では、表示部１０５は、第１の差分情報が表示される領域１３０が、第２の差分情報が表示される領域１２０よりも相対的に目立つように、領域１２０と領域１３０とを表示する。例えば、表示部１０５は、領域１３０を、領域１２０よりも目立つ色で表示する。
【０２３４】
表示部１０５は、第１の差分情報が第２の差分情報よりも相対的に目立つように、第１の差分情報を第１の表示形態で図示し、第２の差分情報を、第１の表示形態と異なる第２の表示形態で図示してもよい。例えば、表示部１０５は、第２の差分情報を示す円１２２を、第１の差分情報を示す円１３２よりも目立たない色で表示してもよい。
【０２３５】
本例では、表示部１０５は、第１の差分情報と第２の差分情報とを識別する情報を、第１の差分情報が表示される領域１３０、または第２の差分情報が表示される領域１２０に表示する。図１７では、「ＡＵＴＯ」という文字が、領域１２０の円１２２上に表示される。これによって、ユーザは、絞りの値が自動で設定されること、すなわち絞りの値がシャッタースピードの値に連動することを知ることができる。つまり、ユーザは、第１の制御パラメータと第２の制御パラメータとを識別しやすい。ユーザが値を直接設定することが可能であることを示す文字が領域１３０に表示されてもよい。
【０２３６】
表示部１０５は、第１の差分情報が表示される領域１３０と、第２の差分情報が表示される領域１２０とが、露出の値が表示される領域１９０よりも目立つように、領域１３０と、領域１２０と、領域１９０とを表示してもよい。あるいは、第１の差分情報と第２の差分情報とが、露出の値よりも目立つように、第１の差分情報と、第２の差分情報とを図示してもよい。これによって、ユーザは、値が変化する制御パラメータと、値が変化しない制御パラメータとを識別しやすい。
【０２３７】
（第６の例）
図３に示す撮像設定装置１１を用いて本例を説明する。本例では、記憶部１０３は、第１の制御パラメータの第３の値と第２の制御パラメータの第４の値とが撮像部に設定されているときに撮像部によって生成された第２の画像データと第３の値と第４の値とを関連付けて記憶する。表示部１０５は、第２の画像データに基づく画像を表示する。
【０２３８】
本例では、入力部１０２は、第１の制御パラメータの第３の値と第２の制御パラメータの第４の値とが撮像部に設定されているときに撮像部によって生成された第２の画像データであって、第３の値と第４の値とが付加された第２の画像データを撮像装置２０から入力する。記憶部１０３は、入力部１０２によって入力された第２の画像データを記憶する。
【０２３９】
本例では、表示部１０５は、第１の制御パラメータの第１の値を示す数値、または第２の制御パラメータの第２の値を示す数値を表示する。
【０２４０】
本例では、絞りの設定値に連動して、露出が適正になるようにシャッタースピードの値が設定される絞り優先モードが撮像部に設定される。本例では、第１の制御パラメータと第２の制御パラメータと第３の制御パラメータとは、露出に関するパラメータである。絞り優先モードでは、第１の制御パラメータは絞りであり、第２の制御パラメータはシャッタースピードであり、第３の制御パラメータは露出である。
【０２４１】
本例では、第１の制御パラメータの第１の値は絞りの設定値である。第２の制御パラメータの第２の値はシャッタースピードの設定値である。第１の制御パラメータの第３の値は、第１の値が撮像部に設定される前に撮像部に設定されていた絞りの設定値である。第２の制御パラメータの第４の値は、第２の値が撮像部に設定される前に撮像部に設定されていたシャッタースピードの設定値である。第３の制御パラメータの第５の値は、第１の値に対応する露出の設定値である。
【０２４２】
絞り優先モードでは、露出が適正になるように、すなわち露出の値が標準露出値になるように、シャッタースピードの設定値が決定される。このため、第５の値は標準露出値である。環境光が一定である場合、第５の値は一定である。また、本例では、第６の値は標準露出値である。この場合、第３の差分は０であり、第３の差分は一定である。つまり、第３の制御パラメータは、第１の制御パラメータおよび第２の制御パラメータと異なり、第３の差分が一定の制御パラメータである。
【０２４３】
図１８を参照して、撮像設定装置１１の動作を説明する。図１８は、制御パラメータの設定に関する撮像設定装置１１の動作の手順を示している。
【０２４４】
制御パラメータの設定に関する動作が開始されると、入力部１０２は、第１の制御パラメータである絞りの設定値（第１の値）と第２の制御パラメータであるシャッタースピードの設定値（第２の値）とが撮像部に設定される前に撮像部に設定されていた絞りの設定値（第３の値）とシャッタースピードの設定値（第４の値）と、それらの設定値に対応する露出の設定値（第６の値）とが付加された第２の画像データを撮像装置２０から入力する（ステップＳ７００）。例えば、入力部１０２は、静止画を構成する１枚の第２の画像データを撮像装置２０から入力する。例えば、絞りの設定値（第３の値）とシャッタースピードの設定値（第４の値）と露出の設定値（第６の値）とは、第２の画像データの属性データに含まれる。第２の画像データに付加されている絞りの設定値（第３の値）は絞りの基準値である。第２の画像データに付加されているシャッタースピードの設定値（第４の値）はシャッタースピードの基準値である。第２の画像データに付加されている露出の設定値（第６の値）は露出の基準値である。
【０２４５】
第２の画像データが入力された後、記憶部１０３は、入力部１０２によって入力された第２の画像データを記憶する（ステップＳ７０５）。絞りの設定値（第３の値）とシャッタースピードの設定値（第４の値）と露出の設定値（第６の値）とが第２の画像データに付加されている。このため、ステップＳ７０５では、記憶部１０３は、第２の画像データと、絞りの設定値（第３の値）と、シャッタースピードの設定値（第４の値）と、露出の設定値（第６の値）とを関連付けて記憶する。
【０２４６】
第２の画像データが記憶された後、ステップＳ７１０とステップＳ７１５との処理が行われる。ステップＳ７１０とステップＳ７１５との処理は、図４のステップＳ２２０とステップＳ２２５との処理と同様である。
【０２４７】
ステップＳ７１５で絞りの設定値（第１の値）が出力された後、入力部１０２は、撮像部に設定された絞りの設定値（第１の値）と、その絞りの設定値（第１の値）に連動して変化するシャッタースピードの設定値（第２の値）と、露出の設定値（第５の値）とを撮像装置２０から入力する（ステップＳ７２０）。ステップＳ７２０は図２のステップＳ１１０に対応する。絞りの設定値（第１の値）が撮像装置２０から入力される代わりに、ステップＳ７１０で生成された絞りの設定値（第１の値）が記憶部１０３に記憶されてもよい。絞りの設定値（第１の値）が撮像装置２０から入力されることによって、実際に撮像装置２０に設定された値に基づいて処理が行われる。
【０２４８】
設定値が入力された後、ステップＳ７２５とステップＳ７３０との処理が行われる。ステップＳ７２５とステップＳ７３０との処理は、絞りの設定値とシャッタースピードの設定値とが入れ替わる点を除いて、図１６のステップＳ６２５とステップＳ６３０との処理と同様である。
【０２４９】
ステップＳ７３０で第１の差分と第２の差分とが算出された後、表示部１０５は、第１の差分を示す第１の差分情報と、第２の差分を示す第２の差分情報と、露出の設定値（第５の値）とを図示する（ステップＳ７３５）。ステップＳ７３５は図２のステップＳ１２５に対応する。第２の画像データが生成されたときと、第１の画像データが生成されたときとで環境光が同一である場合、第３の差分は０である。このため、ステップＳ７３５では、表示部１０５は第３の差分を図示せず、露出の設定値（第５の値）を図示する。第５の値と第６の値とは、露出の絶対値ではなく、標準露出値からの差分であってもよい。
【０２５０】
第１の差分情報と、第２の差分情報と、露出の設定値（第５の値）とが図示された後、表示部１０５は、入力部１０２によって入力された第１の画像データに基づく画像を表示する。また、表示部１０５は、記憶部１０３に記憶されている第２の画像データに基づく画像を表示する（ステップＳ７４０）。例えば、ステップＳ７４０では、表示部１０５は、第１の画像データに基づく動画または静止画を表示する。また、ステップＳ７４０では、表示部１０５は、第２の画像データに基づく静止画を表示する。ステップＳ７４０は図２のステップＳ１３０に対応する。
【０２５１】
ステップＳ７３５では露出の設定値（第５の値）が図示されなくてもよい。この場合、ステップＳ７３０で第３の差分が算出されなくてもよい。また、ステップＳ７２０で露出の設定値（第５の値）が撮像装置２０から入力されなくてもよい。また、露出の設定値（第６の値）が第２の画像データに付加されていなくてもよい。
【０２５２】
ステップＳ７１０からステップＳ７４０の処理が繰り返し行われてもよい。つまり、絞りの設定値が繰り返し更新され、それに応じて画像が更新されてもよい。
【０２５３】
ステップＳ７２５の処理が行われた後、ステップＳ７２０の処理が行われてもよい。また、ステップＳ７４０の処理が行われた後、ステップＳ７３５の処理が行われてもよい。また、ステップＳ７３０の処理が行われる前にステップＳ７４０の処理が行われてもよい。
【０２５４】
図１９は、表示部１０５の画面の例を示している。表示部１０５は、領域１２０と、領域１３０と、領域１９０と、画像領域１４０とを表示する。第１の制御パラメータの第１の差分情報が領域１２０に表示される。具体的には、絞りの第１の差分情報が領域１２０に表示される。第２の制御パラメータの第２の差分情報が領域１３０に表示される。具体的には、シャッタースピードの第２の差分情報が領域１３０に表示される。第３の制御パラメータの第５の値を示す図形が領域１９０に表示される。具体的には、露出の第５の値を示す図形が領域１９０に表示される。撮像装置２０から入力された画像データに基づく画像が画像領域１４０に表示される。
【０２５５】
表示部１０５は、絞りの第１の差分情報を示す図形である矢印１２１と、絞りの設定値を示す図形である円１２２とを領域１２０に表示する。領域１２０については、既に説明したので、説明を省略する。
【０２５６】
表示部１０５は、シャッタースピードの第２の差分情報を示す図形である矢印１３１と、シャッタースピードの設定値を示す図形である円１３２とを領域１３０に表示する。領域１３０については、既に説明したので、説明を省略する。
【０２５７】
表示部１０５は、露出の設定値（第５の値）を示す図形である円１９２を領域１９０に表示する。前述したように、領域１９０の範囲は、撮像部に設定可能な露出の値の範囲に対応する。領域１９０については、既に説明したので、説明を省略する。
【０２５８】
表示部１０５は、絞りの設定値（第１の値）とシャッタースピードの設定値（第２の値）とが撮像部に設定されているときに撮像部によって生成された第１の画像データに基づく画像１４１を画像領域１４０に表示する。また、表示部１０５は、絞りの基準値（第３の値）とシャッタースピードの基準値（第４の値）とが撮像部に設定されているときに撮像部によって生成された第２の画像データに基づく画像１４２を画像領域１４０に表示する。表示部１０５は、画像１４２を表示しなくてもよい。
【０２５９】
表示部１０５は、絞りの設定値（第１の値）を示す数値２１０と、シャッタースピードの設定値（第２の値）を示す数値２１１とを画像領域１４０に表示する。表示部１０５は、絞りの第１の差分情報が表示される領域１２０に数値２１０を表示してもよい。また、表示部１０５は、シャッタースピードの第２の差分情報が表示される領域１３０に数値２１１を表示してもよい。また、表示部１０５は、数値２１０と数値２１１との一方のみを表示してもよい。また、表示部１０５は、数値２１０と数値２１１とを表示しなくてもよい。
【０２６０】
ユーザは、互いに連動する複数の制御パラメータの関係を視覚的に把握することができる。また、ユーザは、複数の制御パラメータの調整方法を学習することができる。さらに、ユーザは、絞りの設定値（第１の値）とシャッタースピードの設定値（第２の値）とが反映された画像１４１の状態を確認することができる。さらに、ユーザは、絞りの基準値（第３の値）とシャッタースピードの基準値（第４の値）とが反映された画像１４２の状態を確認することができる。
【０２６１】
ユーザは、記憶部１０３に記憶された第２の画像データに付加されている絞りの基準値（第３の値）とシャッタースピードの基準値（第４の値）とを参考に、絞りの設定値（第１の値）とシャッタースピードの設定値（第２の値）とを決定することができる。撮像装置２０から入力される第２の画像データは、撮像装置２０に保存されている任意の画像データであってもよい。ユーザは、撮影イメージに近い画像など、参考となる画像を表示するために第２の画像データを選択することが可能である。
【０２６２】
ユーザは、絞りの設定値（第１の値）を示す数値２１０と、シャッタースピードの設定値（第２の値）を示す数値２１１とを参考に、絞りの設定値（第１の値）とシャッタースピードの設定値（第２の値）とを決定することができる。
【０２６３】
（第７の例）
図３に示す撮像設定装置１１を用いて本例を説明する。本例では、複数の第２の制御パラメータが第１の制御パラメータに連動する。
【０２６４】
本例では、複数のモードのいずれかが撮像部に設定される。撮像部に設定されるモードを切り替えることが可能である。複数のモードは、マニュアルモードと、絞り優先モードと、シャッタースピード優先モードと、プログラムモードとのうち少なくとも２つを含む。
【０２６５】
マニュアルモードでは、ユーザの指示に基づいて絞りの値とシャッタースピードの値とが設定される。マニュアルモードでは、第１の制御パラメータが絞りとシャッタースピードとであり、第２の制御パラメータが露出である。絞り優先モードでは、絞りの設定値に連動して、露出が適正になるようにシャッタースピードの値が設定される。絞り優先モードでは、第１の制御パラメータが絞りであり、第２の制御パラメータがシャッタースピードである。シャッタースピード優先モードでは、シャッタースピードの設定値に連動して、露出が適正になるように絞りの値が設定される。シャッタースピード優先モードでは、第１の制御パラメータがシャッタースピードであり、第２の制御パラメータが絞りである。プログラムモードでは、第１の制御パラメータが露出であり、第２の制御パラメータが絞りと、シャッタースピードと、ＩＳＯ感度とである。第２の制御パラメータがＩＳＯ感度でなくてもよい。
【０２６６】
本例では、生成部１００は、複数の制御パラメータのうち、撮像部に設定されているモードに対応する第１の制御パラメータの第１の値を生成する。例えば、絞り優先モードが設定された場合、生成部１００は、絞りの第１の値を生成する。また、シャッタースピード優先モードが設定された場合、生成部１００は、シャッタースピードの第１の値を生成する。また、マニュアルモードが設定された場合、生成部１００は、絞りの第１の値とシャッタースピードの第１の値とを生成する。また、プログラムモードが設定された場合、生成部１００は、露出の第１の値を生成する。このように、生成部１００は、撮像部に設定されているモードに応じて、生成する第１の制御パラメータの値を切り替える。
【０２６７】
本例では、露出の設定値に連動して、絞りの値とシャッタースピードの値とを設定するプログラムモードが撮像部に設定される。本例では、第１の制御パラメータと複数の第２の制御パラメータとは、露出に関するパラメータである。プログラムモードでは、第１の制御パラメータは露出であり、複数の第２の制御パラメータは、絞りと、シャッタースピードと、ＩＳＯ感度とである。
【０２６８】
本例では、第１の制御パラメータの第１の値は露出の設定値である。複数の第２の制御パラメータの第２の値は、絞りの設定値と、シャッタースピードの設定値と、ＩＳＯ感度の設定値とである。第１の制御パラメータの第３の値は、第１の値が撮像部に設定される前に撮像部に設定されていた露出の設定値である。複数の第２の制御パラメータの第４の値は、第２の値が撮像部に設定される前に撮像部に設定されていた絞りの設定値と、シャッタースピードの設定値と、ＩＳＯ感度の設定値とである。
【０２６９】
図２０を参照して、撮像設定装置１１の動作を説明する。図２０は、制御パラメータの設定に関する撮像設定装置１１の動作の手順を示している。
【０２７０】
制御パラメータの設定に関する動作が開始されると、入力部１０２は、第１の制御パラメータである露出の設定値（第１の値）が撮像部に設定される前に撮像部に設定されていた露出の設定値（第３の値）を入力する。また、入力部１０２は、第２の制御パラメータである絞りの設定値（第２の値）が撮像部に設定される前に撮像部に設定されていた絞りの設定値（第４の値）を撮像装置２０から入力する。また、入力部１０２は、第２の制御パラメータであるシャッタースピードの設定値（第２の値）が撮像部に設定される前に撮像部に設定されていたシャッタースピードの設定値（第４の値）を撮像装置２０から入力する。また、入力部１０２は、第２の制御パラメータであるＩＳＯ感度の設定値（第２の値）が撮像部に設定される前に撮像部に設定されていたＩＳＯ感度の設定値（第４の値）を撮像装置２０から入力する（ステップＳ８００）。
【０２７１】
設定値が入力された後、記憶部１０３は、入力部１０２によって入力された露出の設定値（第３の値）と、絞りの設定値（第４の値）と、シャッタースピードの設定値（第４の値）と、ＩＳＯ感度の設定値（第４の値）とを基準値として記憶する（ステップＳ８０５）。露出の設定値（第３の値）と、絞りの設定値（第４の値）と、シャッタースピードの設定値（第４の値）と、ＩＳＯ感度の設定値（第４の値）とは、互いに関連付けられて記憶されていてもよい。
【０２７２】
基準値が記憶された後、生成部１００は、露出の設定値（第１の値）を生成する（ステップＳ８１０）。ステップＳ８１０は図２のステップＳ１００に対応する。
【０２７３】
露出の設定値（第１の値）が生成された後、出力部１０１は、生成部１００によって生成された露出の設定値（第１の値）を撮像装置２０に出力する（ステップＳ８１５）。ステップＳ８１５は図２のステップＳ１０５に対応する。
【０２７４】
露出の設定値（第１の値）が出力された後、入力部１０２は、撮像部に設定された露出の設定値（第１の値）と、その露出の設定値（第１の値）に連動して変化する絞りの設定値（第２の値）と、シャッタースピードの設定値（第２の値）と、ＩＳＯ感度の設定値（第２の値）とを撮像装置２０から入力する（ステップＳ８２０）。ステップＳ８２０は図２のステップＳ１１０に対応する。露出の設定値（第１の値）が撮像装置２０から入力される代わりに、ステップＳ８１０で生成された露出の設定値（第１の値）が記憶部１０３に記憶されてもよい。露出の設定値（第１の値）が撮像装置２０から入力されることによって、実際に撮像装置２０に設定された値に基づいて処理が行われる。
【０２７５】
設定値が入力された後、入力部１０２は、露出の設定値（第１の値）と、絞りの設定値（第２の値）と、シャッタースピードの設定値（第２の値）と、ＩＳＯ感度の設定値（第２の値）とが撮像部に設定されているときに撮像部によって生成された第１の画像データを撮像装置２０から入力する（ステップＳ８２５）。例えば、ステップＳ８２５では、入力部１０２は、動画または静止画を構成する第１の画像データを撮像装置２０から入力する。ステップＳ８２５は図２のステップＳ１１５に対応する。
【０２７６】
第１の画像データが入力された後、算出部１０４は、撮像装置２０から入力された露出の設定値（第１の値）と、記憶部１０３に記憶されている露出の基準値（第３の値）との第１の差分を算出する。また、算出部１０４は、撮像装置２０から入力された絞りの設定値（第２の値）と、記憶部１０３に記憶されている絞りの基準値（第４の値）との第２の差分を算出する。また、算出部１０４は、撮像装置２０から入力されたシャッタースピードの設定値（第２の値）と、記憶部１０３に記憶されているシャッタースピードの基準値（第４の値）との第２の差分を算出する。また、算出部１０４は、撮像装置２０から入力されたＩＳＯ感度の設定値（第２の値）と、記憶部１０３に記憶されているＩＳＯ感度の基準値（第４の値）との第２の差分を算出する（ステップＳ８３０）。ステップＳ８３０は図２のステップＳ１２０に対応する。
【０２７７】
第１の差分と第２の差分とが算出された後、表示部１０５は、第１の差分を示す第１の差分情報と、第２の差分を示す第２の差分情報とを図示する（ステップＳ８３５）。ステップＳ８３５では、第２の差分情報については、絞りと、シャッタースピードと、ＩＳＯ感度とのそれぞれの第２の差分情報が図示される。ステップＳ８３５は図２のステップＳ１２５に対応する。
【０２７８】
第１の差分情報と第２の差分情報とが図示された後、表示部１０５は、入力部１０２によって入力された第１の画像データに基づく画像を表示する（ステップＳ８４０）。例えば、ステップＳ８４０では、表示部１０５は、第１の画像データに基づく動画または静止画を表示する。ステップＳ８４０は図２のステップＳ１３０に対応する。
【０２７９】
ステップＳ８１０からステップＳ８４０の処理が繰り返し行われてもよい。つまり、露出の設定値が繰り返し更新され、それに応じて画像が更新されてもよい。また、ステップＳ８１０の処理が行われる前などのタイミングで図４のステップＳ２１０とステップＳ２１５との処理が行われてもよい。
【０２８０】
ステップＳ８００とステップＳ８０５との処理は、任意である。つまり、ステップＳ８００とステップＳ８０５との処理が行われなくてもよい。ステップＳ８００とステップＳ８０５との処理が行われる代わりに、ユーザが露出の設定値（第３の値）と、絞りの設定値（第４の値）と、シャッタースピードの設定値（第４の値）と、ＩＳＯ感度の設定値（第４の値）とを知り、それらを撮像設定装置１１に入力してもよい。
【０２８１】
ステップＳ８２５の処理が行われた後、ステップＳ８２０の処理が行われてもよい。また、ステップＳ８４０の処理が行われた後、ステップＳ８３５の処理が行われてもよい。また、ステップＳ８３０の処理が行われる前にステップＳ８４０の処理が行われてもよい。
【０２８２】
図２１は、表示部１０５の画面の第１の例を示している。表示部１０５は、領域１２０と、領域１３０と、領域１９０と、領域２２０と、画像領域１４０とを表示する。第１の制御パラメータの第１の差分情報が領域１９０に表示される。具体的には、露出の第１の差分情報が領域１９０に表示される。第２の制御パラメータの第２の差分情報が領域１２０と、領域１３０と、領域２２０とに表示される。具体的には、絞りの第２の差分情報が領域１２０に表示され、シャッタースピードの第２の差分情報が領域１３０に表示され、ＩＳＯ感度の第２の差分情報が領域２２０に表示される。撮像装置２０から入力された画像データに基づく画像が画像領域１４０に表示される。
【０２８３】
領域１２０と、領域１３０と、領域１９０と、領域２２０との形状は、縦方向に細長い長方形である。領域１２０と、領域１３０と、領域１９０と、領域２２０とは、画像領域１４０の左側に配置されている。領域１３０は、画像領域１４０に隣接している。領域１９０は、領域１３０に隣接している。領域２２０は、領域１９０に隣接している。領域１２０は、領域２２０に隣接している。領域１２０と領域１３０と領域２２０とのいずれかと領域１９０とが隣接していることが望ましい。
【０２８４】
表示部１０５は、露出の第１の差分情報を示す図形である矢印１９１と、露出の設定値を示す図形である円１９２とを領域１９０に表示する。領域１９０については、既に説明したので、説明を省略する。
【０２８５】
表示部１０５は、絞りの第２の差分情報を示す図形である矢印１２１と、絞りの設定値を示す図形である円１２２とを領域１２０に表示する。領域１２０については、既に説明したので、説明を省略する。
【０２８６】
表示部１０５は、シャッタースピードの第２の差分情報を示す図形である矢印１３１と、シャッタースピードの設定値を示す図形である円１３２とを領域１３０に表示する。領域１３０については、既に説明したので、説明を省略する。
【０２８７】
表示部１０５は、ＩＳＯ感度の第２の差分情報を示す図形である矢印２２１と、ＩＳＯ感度の設定値を示す図形である円２２２とを領域２２０に表示する。つまり、表示部１０５は、矢印２２１によって第２の差分情報を表示する。円２２２は矢印２２１の頭の位置に表示される。
【０２８８】
領域２２０の範囲は、撮像部に設定可能なＩＳＯ感度の値の範囲に対応する。領域２２０において、より上側の位置が、より大きいＩＳＯ感度の値に対応する。領域２２０の上端は、撮像部に設定可能なＩＳＯ感度の値の最大値に対応する。また、領域２２０において、より下側の位置が、より小さいＩＳＯ感度の値に対応する。領域２２０の下端は、撮像部に設定可能なＩＳＯ感度の値の最小値に対応する。入力部１０２は、撮像部に設定可能なＩＳＯ感度の値の最大値と最小値とを撮像装置２０から入力してもよい。また、記憶部１０３は、撮像部に設定可能なＩＳＯ感度の値の最大値と最小値とを記憶してもよい。
【０２８９】
矢印２２１の頭の位置は、ＩＳＯ感度の設定値（第２の値）に対応する。矢印２２１の尾の位置は、ＩＳＯ感度の基準値（第４の値）に対応する。例えば、露出の設定値（第１の値）が撮像部に設定される前、円２２２は矢印２２１の尾の位置に表示され、矢印２２１は表示されていない。露出の設定値（第１の値）が撮像部に設定される前の円２２２が破線で示されている。矢印２２１の長さは、ＩＳＯ感度の設定値（第２の値）とＩＳＯ感度の基準値（第４の値）との差分の大きさを示している。表示部１０５は、円２２２によって、ＩＳＯ感度の設定値（第２の値）またはＩＳＯ感度の基準値（第４の値）を図示する。
【０２９０】
ユーザが円１９２を移動させた後、入力部１０２は、ＩＳＯ感度の設定値（第２の値）を撮像装置２０から入力する。表示部１０５は、領域２２０においてＩＳＯ感度の設定値（第２の値）に対応する位置に円２２２を表示する。これによって、円２２２が移動する。また、表示部１０５は、矢印２２１を表示する。
【０２９１】
例えば、領域１２０と、領域１３０と、領域１９０と、領域２２０との長さは等しい。つまり、表示部１０５は、撮像部に設定可能な絞りの値の範囲と、撮像部に設定可能なシャッタースピードの値の範囲と、撮像部に設定可能な露出の値の範囲と、撮像部に設定可能なＩＳＯ感度の値の範囲とを同一のスケールで表示する。
【０２９２】
表示部１０５は、第１の表示形態で矢印１９１を表示し、第１の表示形態と異なる第２の表示形態で矢印１２１と、矢印１３１と、矢印２２１とを表示してもよい。例えば、矢印１９１と他の矢印とが異なる色で表示されてもよい。矢印１９１と他の矢印とが異なる明るさで表示されてもよい。矢印１９１の模様と他の矢印の模様とが異なっていてもよい。第１の差分情報を示す図形の種類と、第２の差分情報を示す図形の種類とが異なっていてもよい。これによって、ユーザは、第１の制御パラメータと第２の制御パラメータとを識別しやすい。
【０２９３】
表示部１０５は、第１の表示形態で領域１９０を表示し、第１の表示形態と異なる第２の表示形態で領域１２０と、領域１３０と、領域２２０とを表示してもよい。すなわち、表示部１０５は、第１の表示形態で表示された領域１２０に矢印１２１を表示し、第１の表示形態と異なる第２の表示形態で表示された他の領域に他の矢印を表示してもよい。例えば、領域１９０と他の領域とが異なる色で表示されてもよい。領域１９０と他の領域とが異なる明るさで表示されてもよい。領域１９０の模様と他の領域の模様とが異なっていてもよい。
【０２９４】
領域１２０と、領域１３０と、領域１９０と、領域２２０との少なくとも２つが１つの領域であってもよい。つまり、表示部１０５は、第１の差分情報と第２の差分情報とを同一の領域に表示してもよい。あるいは、表示部１０５は、複数の第２の制御パラメータに対応する複数の第２の差分情報を同一の領域に表示してもよい。
【０２９５】
ユーザは、矢印１９１が示す第１の差分情報に応じて、矢印１２１と、矢印１３１と、矢印２２１とが示す第２の差分情報を把握することができる。つまり、ユーザは、露出の値と、第２の制御パラメータの値とが互いに連動することを視覚的に把握することができる。さらに、ユーザは、露出の値の変化量に応じた第２の制御パラメータの値の変化量を視覚的に把握することができる。
【０２９６】
また、ユーザは、円１９２が示す露出の値と、他の円が示す第２の制御パラメータの値とを視覚的に把握することができる。例えば、ユーザは、露出の設定値（第１の値）に対応する第２の制御パラメータの第２の値を視覚的に把握することができる。
【０２９７】
したがって、ユーザは、互いに連動する複数の制御パラメータの関係を視覚的に把握することができる。また、ユーザは、複数の制御パラメータの調整方法を学習することができる。
【０２９８】
表示部１０５は、露出の設定値（第１の値）と、絞りの設定値（第２の値）と、シャッタースピードの設定値（第２の値）と、ＩＳＯ感度の設定値（第２の値）とが撮像部に設定されているときに撮像部によって生成された第１の画像データに基づく画像１４１を画像領域１４０に表示する。表示部１０５は、露出の基準値（第３の値）と、絞りの基準値（第４の値）と、シャッタースピードの基準値（第４の値）と、ＩＳＯ感度の基準値（第４の値）とが撮像部に設定されているときに撮像部によって生成された第２の画像データに基づく画像１４２を画像領域１４０に表示してもよい。
【０２９９】
ユーザは、露出の設定値（第１の値）と、絞りの設定値（第２の値）と、シャッタースピードの設定値（第２の値）と、ＩＳＯ感度の設定値（第２の値）とが反映された画像１４１の状態を確認することができる。つまり、ユーザは、露出と、絞りと、シャッタースピードと、ＩＳＯ感度との設定値が変更された後の画像１４１の状態を確認することができる。
【０３００】
複数の第２の制御パラメータの第２の差分情報のうち、表示される第２の差分情報をユーザが選択できてもよい。また、表示された複数の第２の制御パラメータの第２の差分情報が並ぶ順番をユーザが選択できてもよい。
【０３０１】
絞りの設定値に連動して、露出が適正になるようにシャッタースピードの値が設定される絞り優先モードでは、絞りの設定値に連動する制御パラメータが変化する場合がある。例えば、絞りの値が小さくなると共にシャッタースピードが遅くなる。シャッタースピードが所定値以下となった場合、手振れの影響が大きくなる。このため、さらに絞りの値が小さくなった場合、シャッタースピードは変化せず、ＩＳＯ感度の値が大きくなる。
【０３０２】
シャッタースピードが所定値を超えている場合、第２の制御パラメータはシャッタースピードであり、第３の差分が一定である第３の制御パラメータはＩＳＯ感度である。また、シャッタースピードが所定値以下である場合、第２の制御パラメータはＩＳＯ感度であり、第３の制御パラメータはシャッタースピードである。第２の制御パラメータの第２の差分情報と、第３の制御パラメータの第５の値とが図示される場合、ユーザは、絞りの値に連動する第２の制御パラメータが切り替わることを把握することができる。
【０３０３】
図２２は、表示部１０５の画面の第２の例を示している。以下では、図２１と異なる点について説明する。
【０３０４】
本例では、表示部１０５は、第１の差分情報が表示される位置と、第２の差分情報が表示される位置との相対的な関係を固定する。例えば、表示部１０５は、第１の差分情報が表示される領域を、第２の差分情報が表示される領域よりも常に右に表示する。表示部１０５は、モードによらず、この相対的な関係を固定する。第１の差分情報が表示される位置と、第２の差分情報が表示される位置との相対的な関係は複数のモード間で一定である。
【０３０５】
具体的には、プログラムモードでは、表示部１０５は、領域１９０を表示し、第１の差分情報を領域１９０に図示する。また、表示部１０５は、領域１３０が領域１９０に隣接するように領域１３０を表示し、第２の差分情報を領域１３０に図示する。図２２では、表示部１０５は、領域１３０が領域１９０に隣接するように領域１９０の左に領域１３０を表示し、第２の差分情報を領域１３０に図示する。表示部１０５は、領域１２０または領域２２０が領域１９０に隣接するように領域１２０または領域２２０を表示してもよい。
【０３０６】
絞り優先モードでは、表示部１０５は、図２２における領域１９０の位置に領域１２０を表示し、第１の差分情報を領域１２０に図示する。また、表示部１０５は、領域１３０が領域１２０に隣接するように領域１３０を表示し、第２の差分情報を領域１３０に図示する。すなわち、表示部１０５は、領域１３０が領域１２０に隣接するように領域１２０の左に領域１３０を表示し、第２の差分情報を領域１３０に図示する。表示部１０５は、領域１９０または領域２２０が領域１２０に隣接するように領域１９０または領域２２０を表示してもよい。
【０３０７】
シャッタースピード優先モードでは、表示部１０５は、図２２における領域１９０の位置に領域１３０を表示し、第１の差分情報を領域１３０に図示する。また、表示部１０５は、領域１２０が領域１３０に隣接するように領域１２０を表示し、第２の差分情報を領域１２０に図示する。すなわち、表示部１０５は、領域１２０が領域１３０に隣接するように領域１３０の左に領域１２０を表示し、第２の差分情報を領域１２０に図示する。表示部１０５は、領域１９０または領域２２０が領域１３０に隣接するように領域１９０または領域２２０を表示してもよい。
【０３０８】
本例では、表示部１０５は、第１の制御パラメータの第１の差分情報が表示される位置と、画像が表示される位置との相対的な関係を固定する。例えば、表示部１０５は、第１の差分情報が表示される領域を、画像が表示される領域よりも常に左に表示する。表示部１０５は、モードによらず、この相対的な関係を固定する。第１の差分情報が表示される位置と、画像が表示される位置との相対的な関係は複数のモード間で一定である。
【０３０９】
具体的には、プログラムモードでは、表示部１０５は、領域１９０を表示し、第１の差分情報を領域１９０に図示する。また、表示部１０５は、画像領域１４０が領域１９０に隣接するように画像領域１４０を表示し、画像１４１を画像領域１４０に表示する。図２２では、表示部１０５は、画像領域１４０が領域１９０に隣接するように領域１９０の右に画像領域１４０を表示し、画像１４１を画像領域１４０に表示する。
【０３１０】
絞り優先モードでは、表示部１０５は、図２２における領域１９０の位置に領域１２０を表示し、第１の差分情報を領域１２０に図示する。また、表示部１０５は、画像領域１４０が領域１２０に隣接するように画像領域１４０を表示し、画像１４１を画像領域１４０に表示する。すなわち、表示部１０５は、画像領域１４０が領域１２０に隣接するように領域１２０の右に画像領域１４０を表示し、画像１４１を画像領域１４０に表示する。
【０３１１】
シャッタースピード優先モードでは、表示部１０５は、図２２における領域１９０の位置に領域１３０を表示し、第１の差分情報を領域１３０に図示する。また、表示部１０５は、画像領域１４０が領域１３０に隣接するように画像領域１４０を表示し、画像１４１を画像領域１４０に表示する。すなわち、表示部１０５は、画像領域１４０が領域１３０に隣接するように領域１３０の右に画像領域１４０を表示し、画像１４１を画像領域１４０に表示する。
【０３１２】
第１の制御パラメータの第１の差分情報は、第２の制御パラメータの第２の差分情報の常に右に表示される。モードによらず、この位置関係が固定されるので、ユーザは、第１の差分情報と第２の差分情報とを識別しやすい。さらに、第１の差分情報は、画像１４１の常に左に表示される。モードによらず、この位置関係が固定されるので、ユーザは、第１の差分情報を識別しやすい。
【０３１３】
表示部１０５は、第１の差分情報が表示される領域１９０が、第２の差分情報が表示される領域１３０等よりも相対的に目立つように、それぞれの領域を表示してもよい。例えば、表示部１０５は、領域１３０等を、領域１９０よりも目立たない色で表示してもよい。
【０３１４】
表示部１０５は、第１の差分情報が第２の差分情報よりも相対的に目立つように、第１の差分情報を第１の表示形態で図示し、第２の差分情報を、第１の表示形態と異なる第２の表示形態で図示してもよい。例えば、表示部１０５は、第２の差分情報を示す円１３２等を、第１の差分情報を示す円１９２よりも目立たない色で表示してもよい。
【０３１５】
図２３は、表示部１０５の画面の第３の例を示している。以下では、図２２と異なる点について説明する。本例では、複数の第２の制御パラメータの複数の第２の差分のうち、絞りの第２の差分が最も大きい。シャッタースピードの第２の差分が２番目に大きい。ＩＳＯ感度の第２の差分が最も小さい。
【０３１６】
本例では、入力部１０２は、複数の第２の制御パラメータのそれぞれの第２の値と、第１の画像データとを撮像装置２０から入力する。記憶部１０３は、複数の第２の制御パラメータのそれぞれの第４の値を記憶する。表示部１０５は、複数の第２の制御パラメータのうち第２の差分が相対的に大きい第２の制御パラメータの第２の差分情報が表示される位置と、複数の第２の制御パラメータのうち第２の差分が相対的に小さい第２の制御パラメータの第２の差分情報が表示される位置との相対的な関係を固定する。また、表示部１０５は、第１の画像データに基づく画像を表示する。
【０３１７】
表示部１０５は、モードによらず、この相対的な関係を固定する。第１の差分情報が表示される位置と、第２の差分情報が表示される位置との相対的な関係は複数のモード間で一定である。
【０３１８】
例えば、表示部１０５は、第２の差分が最も大きい第２の制御パラメータの第２の差分情報が表示される位置から離れるにつれて、第２の差分が小さくなるように、第２の制御パラメータの第２の差分情報を図示する。あるいは、表示部１０５は、第２の差分が最も小さい第２の制御パラメータの第２の差分情報が表示される位置から離れるにつれて、第２の差分が大きくなるように、第２の制御パラメータの第２の差分情報を図示する。つまり、表示部１０５は、複数の第２の制御パラメータの複数の第２の差分情報が大きい順、または小さい順に並ぶように、複数の第２の制御パラメータの複数の第２の差分情報を図示する。
【０３１９】
具体的には、表示部１０５は、領域１９０を表示し、第１の差分情報を領域１９０に図示する。また、表示部１０５は、領域１２０が領域１９０に隣接するように領域１２０を表示し、最も大きい絞りの第２の差分を領域１２０に図示する。また、表示部１０５は、領域１３０が領域１２０に隣接するように領域１３０を表示し、２番目に大きいシャッタースピードの第２の差分を領域１３０に図示する。また、表示部１０５は、領域２２０が領域１３０に隣接するように領域２２０を表示し、最も小さいＩＳＯ感度の第２の差分を領域２２０に図示する。これによって、表示部１０５は、絞りの第２の差分情報が表示される位置から離れるにつれて、表示される第２の差分が小さくなるように、第２の制御パラメータの第２の差分情報を図示する。
【０３２０】
第２の差分情報が第２の差分の大きさの順に表示されるので、ユーザは、露出の調整により大きな影響を与える制御パラメータを把握しやすくなる。
【０３２１】
図２３では、第１の差分情報が表示される位置と、第２の差分情報が表示される位置との相対的な関係は固定されていなくてもよい。
【０３２２】
図２４は、表示部１０５の画面の第４の例を示している。以下では、図２２と異なる点について説明する。本例では、複数の第２の制御パラメータの複数の第２の差分のうち、絞りと、シャッタースピードとの第２の差分が所定量を超えている。また、ＩＳＯ感度の第２の差分が所定量以下である。
【０３２３】
本例では、入力部１０２は、複数の第２の制御パラメータのそれぞれの第２の値と、第１の画像データとを撮像装置２０から入力する。記憶部１０３は、複数の第２の制御パラメータのそれぞれの第４の値を記憶する。表示部１０５は、第１の差分情報を図示し、複数の第２の制御パラメータのうち第２の差分が所定量を超えている第２の差分情報のみを図示する。つまり、表示部１０５は、複数の第２の制御パラメータのうち第２の差分が所定量以下である第２の差分情報を非表示とする。また、表示部１０５は、第１の画像データに基づく画像を表示する。
【０３２４】
具体的には、絞りと、シャッタースピードとの第２の差分が所定量を超えている。このため、表示部１０５は、絞りの第２の差分情報が表示される領域１２０を表示し、シャッタースピードの第２の差分情報が表示される領域１３０を表示する。また、ＩＳＯ感度の第２の差分が所定量以下である。このため、表示部１０５は、ＩＳＯ感度の第２の差分情報が表示される領域２２０を非表示とする。
【０３２５】
領域１２０と、領域１３０と、領域１９０とに加えて領域２２０が表示される場合、画像領域１４０が、図２４に示される状態よりも狭くなる。この場合、画像領域１４０の領域１４３に画像が表示される。また、領域２２０が非表示となる場合、画像領域１４０において、領域１４３よりも広い領域１４４に画像が表示される。つまり、表示部１０５は、複数の制御パラメータの複数の第２の差分のいずれかが所定量以下である場合、複数の制御パラメータの複数の第２の差分の全てが所定量を超える場合よりも広い領域に、第１の画像データに基づく画像を表示する。
【０３２６】
所定量を超えた差分に関する第２の差分情報のみが表示されるので、ユーザは、露出の調整により大きな影響を与える制御パラメータを把握しやすくなる。また、非表示となる第２の差分情報がある場合、ユーザは、より広い領域に表示された画像によって、画像の変化を確認しやすくなる。
【０３２７】
図２４では、第１の差分情報が表示される位置と、第２の差分情報が表示される位置との相対的な関係は固定されていなくてもよい。
【０３２８】
図２５は、表示部１０５の画面の第５の例を示している。以下では、図２２と異なる点について説明する。本例では、複数の第２の制御パラメータの複数の第２の差分のうち、絞りの第２の差分が最も大きい。
【０３２９】
本例では、入力部１０２は、複数の制御パラメータのうち、複数の第２の制御パラメータのそれぞれの第２の値と、第１の制御パラメータの第１の値が撮像部に設定されているときに撮像部によって生成された第１の画像データとを撮像装置２０から入力する。記憶部１０３は、複数の第２の制御パラメータのそれぞれの第４の値を記憶する。表示部１０５は、第１の差分情報を図示し、第２の差分が相対的に大きい第２の差分情報を第１の領域に図示する。また、表示部１０５は、第２の差分が相対的に小さい第２の差分情報を、第１の領域と表示形態が異なる第２の領域に図示する。また、表示部１０５は、第１の画像データに基づく画像を表示する。
【０３３０】
本例では、表示部１０５は、第１の領域を第２の領域よりも強調して表示する。すなわち、表示部１０５は、第２の表示形態よりも強調された第１の表示形態で第１の領域を表示し、第２の表示形態で第２の領域を表示する。
【０３３１】
例えば、表示部１０５は、第１の領域が第２の領域よりも相対的に目立つように、第１の領域と第２の領域とを表示する。具体的には、表示部１０５は、最も大きい絞りの第２の差分が表示される領域１２０（第１の領域）が、相対的に小さいシャッタースピードおよびＩＳＯ感度の第２の差分が表示される領域１３０および領域２２０（第２の領域）よりも相対的に目立つように、領域１２０と、領域１３０と、領域２２０とを表示する。例えば、表示部１０５は、領域１２０を領域１３０および領域２２０よりも目立つ色で表示する。
【０３３２】
第２の差分が相対的に大きい第２の差分情報と、第２の差分が相対的に小さい第２の差分情報とが、異なる領域に表示される。このため、ユーザは、露出の調整により大きな影響を与える制御パラメータを把握しやすくなる。
【０３３３】
図２５では、第１の差分情報が表示される位置と、第２の差分情報が表示される位置との相対的な関係は固定されていなくてもよい。
【０３３４】
図２６は、表示部１０５の画面の第６の例を示している。以下では、図２２と異なる点について説明する。本例では、複数の第２の制御パラメータの複数の第２の差分のうち、絞りの第２の差分が最も大きい。
【０３３５】
本例では、入力部１０２は、複数の制御パラメータのうち、複数の第２の制御パラメータのそれぞれの第２の値と、第１の制御パラメータの第１の値が撮像部に設定されているときに撮像部によって生成された第１の画像データとを撮像装置２０から入力する。記憶部１０３は、複数の第２の制御パラメータのそれぞれの第４の値を記憶する。表示部１０５は、第１の差分情報を図示し、第２の差分が相対的に大きい第２の差分情報を第１の表示形態で図示する。また、表示部１０５は、第２の差分が相対的に小さい第２の差分情報を、第１の表示形態と異なる第２の表示形態で図示する。また、表示部１０５は、第１の画像データに基づく画像を表示する。
【０３３６】
本例では、表示部１０５は、第２の差分が相対的に大きい第２の差分情報を、第２の差分が相対的に小さい第２の差分情報よりも強調して図示する。すなわち、表示部１０５は、第２の差分が相対的に大きい第２の差分情報を、第２の表示形態よりも強調された第１の表示形態で図示し、第２の差分が相対的に小さい第２の差分情報を第２の表示形態で図示する。
【０３３７】
例えば、表示部１０５は、第２の差分が相対的に大きい第２の差分情報が、第２の差分が相対的に小さい第２の差分情報よりも相対的に目立つように第１の差分情報と第２の差分情報とを図示する。具体的には、表示部１０５は、最も大きい絞りの第２の差分を示す矢印１２１が、相対的に小さいシャッタースピードおよびＩＳＯ感度の第２の差分を示す矢印１３１および矢印２２１よりも相対的に目立つように、矢印１２１と、矢印１３１と、矢印２２１とを表示する。例えば、表示部１０５は、矢印１２１を矢印１３１および矢印２２１よりも目立つ色で表示する。
【０３３８】
第２の差分が相対的に大きい第２の差分情報と、第２の差分が相対的に小さい第２の差分情報とが、異なる表示形態で表示される。このため、ユーザは、露出の調整により大きな影響を与える制御パラメータを把握しやすくなる。
【０３３９】
図２６では、第１の差分情報が表示される位置と、第２の差分情報が表示される位置との相対的な関係は固定されていなくてもよい。
【０３４０】
（第２の実施形態）
次に、本発明の第２の実施形態を説明する。図２７は、本実施形態による撮像装置３０の構成を示している。図２７に示すように、撮像装置３０は、撮像部３００と、生成部３０１と、設定部３０２と、記憶部３０３と、算出部３０４と、表示部３０５とを有する。
【０３４１】
撮像部３００は、撮像を行い、画像データを生成する。生成部３０１は、撮像を制御するための複数の制御パラメータのうち第１の制御パラメータの第１の値を生成する。設定部３０２は、第１の値を撮像部３００に設定する。また、設定部３０２は、複数の制御パラメータのうち第１の制御パラメータと異なる第２の制御パラメータの第２の値であって、撮像部３００に設定された第１の値に連動して変化する第２の値を撮像部３００に設定する。設定部３０２は、設定された第２の値を出力する。また、設定部３０２は、必要に応じて、第１の値と、第１の制御パラメータの第３の値と、第２の制御パラメータの第４の値とのいずれかを出力してもよい。
【０３４２】
記憶部３０３は、第１の制御パラメータの第３の値と第２の制御パラメータの第４の値とを記憶する。算出部３０４は、第１の値と第３の値との第１の差分と、第２の値と第４の値との第２の差分とを算出する。表示部３０５は、第１の差分を示す第１の差分情報と、第２の差分を示す第２の差分情報とを図示する。また、表示部３０５は、第１の値が撮像部３００に設定されているときに撮像部３００によって生成された画像データに基づく画像を表示する。
【０３４３】
例えば、生成部３０１と、設定部３０２と、算出部３０４との機能は、例えばこれらの動作を規定する命令を含むプログラムを、撮像装置３０のコンピュータが読み込んで実行することにより、ソフトウェアの機能として実現可能である。このプログラムの実装方法は、撮像設定装置１０の動作を制御するためのプログラムの実装方法と同様であってもよい。
【０３４４】
次に、図２８を参照して、撮像装置３０の動作を説明する。図２８は、制御パラメータの設定に関する撮像装置３０の動作の手順を示している。
【０３４５】
制御パラメータの設定に関する動作が開始されると、生成部３０１は、撮像を制御するための複数の制御パラメータのうち第１の制御パラメータの第１の値を生成する（ステップＳ９００）。
【０３４６】
第１の値が生成された後、設定部３０２は、生成部１００によって生成された第１の値と、複数の制御パラメータのうち第１の制御パラメータと異なる第２の制御パラメータの第２の値であって、撮像部３００に設定された第１の値に連動して変化する第２の値とを撮像部３００に設定する（ステップＳ９０５）。
【０３４７】
第１の値と第２の値とが撮像部３００に設定された後、算出部３０４は、第１の値と第１の制御パラメータの第３の値との第１の差分と、第２の値と第２の制御パラメータの第４の値との第２の差分とを算出する（ステップＳ９１０）。ステップＳ９１０では、算出部３０４は、記憶部３０３から第３の値と第４の値とを読み出す。また、ステップＳ９１０では、算出部３０４は、記憶部３０３から読み出された第３の値および第４の値と、設定部３０２から出力された第１の値および第２の値とを用いて第１の差分と第２の差分とを算出する。
【０３４８】
第１の差分と第２の差分とが算出された後、表示部３０５は、第１の差分を示す第１の差分情報と、第２の差分を示す第２の差分情報とを図示する（ステップＳ９１５）。第１の差分情報と第２の差分情報とが図示された後、表示部３０５は、第１の値が撮像部３００に設定されているときに撮像部３００によって生成された画像データに基づく画像を表示する（ステップＳ９２０）。
【０３４９】
ステップＳ９２０の処理が行われた後、ステップＳ９１５の処理が行われてもよい。
【０３５０】
撮像装置３０は、撮像設定装置１１における操作部１０６を有していてもよい。また、生成部３０１と、記憶部３０３と、算出部３０４と、表示部３０５とのそれぞれは、撮像設定装置１１における生成部１００と、記憶部１０３と、算出部１０４と、表示部１０５とのそれぞれと同様であってもよい。
【０３５１】
本実施形態によれば、撮像を行い、画像データを生成する撮像部３００と、撮像を制御するための複数の制御パラメータのうち第１の制御パラメータの第１の値を生成する生成部３０１と、第１の値と、複数の制御パラメータのうち第１の制御パラメータと異なる第２の制御パラメータの第２の値であって、撮像部３００に設定された第１の値に連動して変化する第２の値とを撮像部３００に設定する設定部３０２と、第１の制御パラメータの第３の値と第２の制御パラメータの第４の値とを記憶する記憶部３０３と、第１の値と第３の値との第１の差分と、第２の値と第４の値との第２の差分とを算出する算出部３０４と、第１の差分を示す第１の差分情報と、第２の差分を示す第２の差分情報とを図示し、第１の値が撮像部３００に設定されているときに撮像部３００によって生成された画像データに基づく画像を表示する表示部３０５と、を有する撮像装置３０が構成される。
【０３５２】
また、本実施形態によれば、生成部３０１が、撮像を制御するための複数の制御パラメータのうち第１の制御パラメータの第１の値を生成する生成ステップ（ステップＳ９００）と、設定部３０２が、第１の値と、複数の制御パラメータのうち第１の制御パラメータと異なる第２の制御パラメータの第２の値であって、撮像部３００に設定された第１の値に連動して変化する第２の値とを撮像部３００に設定する設定ステップ（ステップＳ９０５）と、算出部３０４が、第１の値と第１の制御パラメータの第３の値との第１の差分と、第２の値と第２の制御パラメータの第４の値との第２の差分とを算出する算出ステップ（ステップＳ９１０）と、表示部３０５が、第１の差分を示す第１の差分情報と、第２の差分を示す第２の差分情報とを図示する第１の表示ステップ（ステップＳ９１５）と、表示部３０５が、第１の値が撮像部３００に設定されているときに撮像部３００によって生成された画像データに基づく画像を表示する第２の表示ステップ（ステップＳ９２０）と、を有する撮像設定方法が構成される。
【０３５３】
また、本実施形態によれば、撮像を制御するための複数の制御パラメータのうち第１の制御パラメータの第１の値を生成する生成ステップ（ステップＳ９００）と、第１の値と、複数の制御パラメータのうち第１の制御パラメータと異なる第２の制御パラメータの第２の値であって、撮像部３００に設定された第１の値に連動して変化する第２の値とを撮像部３００に設定する設定ステップ（ステップＳ９０５）と、第１の値と第１の制御パラメータの第３の値との第１の差分と、第２の値と第２の制御パラメータの第４の値との第２の差分とを算出する算出ステップ（ステップＳ９１０）と、表示部３０５によって、第１の差分を示す第１の差分情報と、第２の差分を示す第２の差分情報とを図示する第１の表示ステップ（ステップＳ９１５）と、表示部３０５によって、第１の値が撮像部３００に設定されているときに撮像部３００によって生成された画像データに基づく画像を表示する第２の表示ステップ（ステップＳ９２０）と、をコンピュータに実行させるためのプログラムが構成される。
【０３５４】
本実施形態では、第１の制御パラメータの第１の差分情報と、第１の制御パラメータに連動する第２の制御パラメータの第２の差分情報とが表示される。これによって、互いに連動する複数の制御パラメータの状態を把握しやすくすることができる。ユーザは、どの制御パラメータが互いに連動するのかを把握しやすい。
【０３５５】
（第３の実施形態）
次に、本発明の第３の実施形態を説明する。図２９は、本実施形態による撮像システム１０００の構成を示している。図２９に示すように、撮像システム１０００は、撮像設定装置１０ａと、撮像装置２０とを有する。
【０３５６】
撮像設定装置１０ａは、生成部１００と、第１の出力部１０１ａと、第１の入力部１０２ａと、記憶部１０３と、算出部１０４と、表示部１０５とを有する。生成部１００と、記憶部１０３と、算出部１０４と、表示部１０５とのそれぞれは、図１に示す撮像設定装置１０におけるそれぞれの構成と同様である。第１の出力部１０１ａは、図１に示す撮像設定装置１０における出力部１０１と同様である。第１の入力部１０２ａは、図１に示す撮像設定装置１０における入力部１０２と同様である。
【０３５７】
撮像装置２０は、撮像部２００と、第２の入力部２０１と、設定部２０２と、第２の出力部２０３とを有する。撮像部２００は、撮像を行い、画像データを生成する。第２の入力部２０１は、第１の制御パラメータの第１の値を撮像設定装置１０ａから入力する。
【０３５８】
設定部２０２は、第１の値と、複数の制御パラメータのうち第１の制御パラメータと異なる第２の制御パラメータの第２の値であって、撮像部２００に設定された第１の値に連動して変化する第２の値とを撮像部２００に設定する。設定部２０２は、設定された第２の値を出力する。また、設定部２０２は、必要に応じて、第１の値と、第１の制御パラメータの第３の値と、第２の制御パラメータの第４の値とのいずれかを出力してもよい。
【０３５９】
第２の出力部２０３は、設定部２０２から出力された第２の値と、第１の値が撮像部２００に設定されているときに撮像部２００によって生成された画像データとを撮像設定装置１０ａに出力する。
【０３６０】
撮像設定装置１０ａは、図３に示す撮像設定装置１１と同様であってもよい。
【０３６１】
本実施形態によれば、撮像設定装置１０ａと撮像装置２０とを有する撮像システム１０００であって、撮像設定装置１０ａは、生成部１００と、第１の出力部１０１ａと、第１の入力部１０２ａと、記憶部１０３と、算出部１０４と、表示部１０５と、を有し、撮像装置２０は、撮像を行い、画像データを生成する撮像部２００と、第１の値を撮像設定装置１０ａから入力する第２の入力部２０１と、第１の値と第２の値とを撮像部２００に設定する設定部２０２と、第２の値と画像データとを撮像設定装置１０ａに出力する第２の出力部２０３と、を有する撮像システム１０００が構成される。
【０３６２】
本実施形態では、第１の制御パラメータの第１の差分情報と、第１の制御パラメータに連動する第２の制御パラメータの第２の差分情報とが表示される。これによって、互いに連動する複数の制御パラメータの状態を把握しやすくすることができる。ユーザは、どの制御パラメータが互いに連動するのかを把握しやすい。
【０３６３】
以上、図面を参照して本発明の実施形態について詳述してきたが、具体的な構成は上記の実施形態に限られるものではなく、本発明の要旨を逸脱しない範囲の設計変更等も含まれる。
【符号の説明】
【０３６４】
１０，１０ａ，１１  撮像設定装置
２０，３０  撮像装置
１００，３０１  生成部
１０１  出力部
１０１ａ  第１の出力部
１０２  入力部
１０２ａ  第１の入力部
１０３，３０３  記憶部
１０４，３０４  算出部
１０５，３０５  表示部
１０６  操作部
２００，３００  撮像部
２０１  第２の入力部
２０２，３０２  設定部
２０３  第２の出力部
１０００  撮像システム
【図１】
0006385154.tif 000002
【図２】
0006385154.tif 000003
【図３】
0006385154.tif 000004
【図４】
0006385154.tif 000005
【図５】
0006385154.tif 000006
【図６】
0006385154.tif 000007
【図７】
0006385154.tif 000008
【図８】
0006385154.tif 000009
【図９】
0006385154.tif 000010
【図１０】
0006385154.tif 000011
【図１１】
0006385154.tif 000012
【図１２】
0006385154.tif 000013
【図１３】
0006385154.tif 000014
【図１４】
0006385154.tif 000015
【図１５】
0006385154.tif 000016
【図１６】
0006385154.tif 000017
【図１７】
0006385154.tif 000018
【図１８】
0006385154.tif 000019
【図１９】
0006385154.tif 000020
【図２０】
0006385154.tif 000021
【図２１】
0006385154.tif 000022
【図２２】
0006385154.tif 000023
【図２３】
0006385154.tif 000024
【図２４】
0006385154.tif 000025
【図２５】
0006385154.tif 000026
【図２６】
0006385154.tif 000027
【図２７】
0006385154.tif 000028
【図２８】
0006385154.tif 000029
【図２９】
0006385154.tif 000030